(57)【要約】【課題】多種多様なセッション継続性をサポートする通信システムに含まれる制御装置や端末装置に、好適な通信制御手段を提供する事。【解決手段】多種多様なセッション継続性をサポートすることが可能な端末装置や、前記端末装置と接続可能なネットワークの装置に好適な通信制御手段や、多種多様なセッション継続性を実現するための通信制御手段、及び各セッションに対するセッション継続性を決定するための通信制御手段を提供する。【選択図】図1
2020036055.tif 000002
【特許請求の範囲】
【請求項１】
端末装置であって、
前記端末装置は、コアネットワークに含まれる装置との間で、
PDUセッション確立手続きを実行し、
トラッキングエリアAからトラッキングエリアBに移動した際に、さらに、トラッキングエリア更新手続きを実行する  送受信部と、
前記PDUセッション確立手続きの完了に基づいて、PDUセッションを確立し、
前記トラッキングエリア更新手続きの完了に基づいて、前記PDUセッションをサスペンドし、さらに、前記PDUセッションの状態を管理するためのタイマーを実行する  制御部とを備え、
前記トラッキングエリアAは、前記トラッキングエリア更新手続きの実行前に前記端末装置が保持しているトラッキングエリアリストに含まれるトラッキングエリアであり、
前記トラッキングエリアBは、前記トラッキングエリアAとは異なるトラッキングエリアであり、さらに、前記トラッキングエリアリストに含まれないトラッキングエリアである
事を特徴とする端末装置。
【請求項２】
前記送受信は、前記PDUセッションがサスペンドされた状態で、前記端末装置が前記トラッキングエリアBから前記トラッキングエリアAに移動した場合は、
トラッキングエリア更新要求メッセージを、前記コアネットワークに含まれる装置に送信し、
情報Aを含むトラッキングエリア更新受諾メッセージを、前記コアネットワークに含まれる装置から受信し、
前記制御部は、
前記コアネットワークに含まれる装置から前記情報Aを受信した場合は、前記PDUセッションをレジュームし、
前記タイマーが満了した場合は、前記PDUセッションを切断し、
前記情報Aは、前記PDUセッションがレジュームされること示す情報である
事を特徴とする請求項1に記載の端末装置。
【請求項３】
前記送受信は、さらに、アタッチ手続きを実行し、
前記アタッチ手続きにおいて、
前記トラッキングエリアリストと、情報Bとを、前記コアネットワーク含まれる装置から受信し、
前記情報Bは、前記コアネットワークが前記PDUセッションをサポートすること示す情報である
事を特徴とする請求項1又は請求項2に記載の端末装置。
【請求項４】
前記送受信は、前記PDUセッション確立手続きにおいて、
情報Cを、前記コアネットワーク含まれる装置から受信し、
前記情報Cは、前記PDUセッションがサスペンド可能なPDUセッションであることを示す情報である
事を特徴とする請求項1から請求項3に記載の端末装置。
【請求項５】
前記送受信は、前記トラッキングエリア更新手続きにおいて、
前記トラッキングエリアリストとは異なるトラッキングエリアリストと、前記タイマーの値とを、前記コアネットワーク含まれる装置から受信する
事を特徴とする請求項1から請求項4に記載の端末装置。
【請求項６】
コアネットワークに含まれる装置であって、
前記コアネットワークに含まれる装置は、端末装置との間で、
PDUセッション確立手続きと、トラッキングエリア更新手続きとを実行する  送受信部と、
前記PDUセッション確立手続きの完了に基づいて、前記コアネットワークと前記端末装置との間でPDUセッションを確立し、
前記トラッキングエリア更新手続きの完了に基づいて、前記PDUセッションをサスペンドし、さらに、前記PDUセッションの状態を管理するためのタイマーを実行する  制御部とを備える
事を特徴とするコアネットワークに含まれる装置。
【請求項７】
前記送受信は、前記PDUセッションがサスペンドされた状態で、トラッキングエリア更新要求メッセージを、前記端末装置から受信した場合は、情報Aを含むトラッキングエリア更新受諾メッセージを、前記端末装置に送信し、
前記制御部は、
前記PDUセッションがレジュームされること示す情報を、前記端末装置に送信した場合は、前記PDUセッションをレジュームし、
前記タイマーが満了した場合は、前記PDUセッションを切断し、
前記情報Aは、前記PDUセッションがレジュームされること示す情報である
事を特徴とする請求項6に記載のコアネットワークに含まれる装置。
【請求項８】
前記送受信は、さらに、アタッチ手続きを実行し、
前記アタッチ手続きにおいて、
トラッキングエリアリストと、情報Bとを、前記端末装置に送信し、
前記情報Bは、前記コアネットワークが前記PDUセッションをサポートすること示す情報である
事を特徴とする請求項6又は請求項7に記載のコアネットワークに含まれる装置。
【請求項９】
前記送受信は、前記PDUセッション確立手続きにおいて、
情報Cを、前記端末装置に送信し、
前記情報Cは、前記PDUセッションがサスペンド可能なPDUセッションであることを示す情報である
事を特徴とする請求項6から請求項8に記載のコアネットワークに含まれる装置。
【請求項１０】
前記送受信は、前記トラッキングエリア更新手続きにおいて、
前記トラッキングエリアリストとは異なるトラッキングエリアリストと、前記タイマーの値とを、前記端末装置に送信する
事を特徴とする請求項6から請求項9に記載のコアネットワークに含まれる装置。
【請求項１１】
端末装置の通信制御方法であって、コアネットワークに含まれる装置との間で、
PDUセッション確立手続きを実行するステップと、
前記PDUセッション確立手続きの完了に基づいて、PDUセッションを確立するステップと、
トラッキングエリアAからトラッキングエリアBに移動した際に、さらに、トラッキングエリア更新手続きを実行するステップと、
前記トラッキングエリア更新手続きの完了に基づいて、前記PDUセッションをサスペンドするステップと、
前記PDUセッションの状態を管理するためのタイマーを実行するステップとを有し、
前記トラッキングエリアAは、前記トラッキングエリア更新手続きの実行前に前記端末装置が保持しているトラッキングエリアリストに含まれるトラッキングエリアであり、
前記トラッキングエリアBは、前記トラッキングエリアAとは異なるトラッキングエリアであり、さらに、前記トラッキングエリアリストに含まれないトラッキングエリアである
事を特徴とする端末装置の通信制御方法。
【請求項１２】
前記PDUセッションがサスペンドされた状態で、前記端末装置が前記トラッキングエリアBから前記トラッキングエリアAに移動した場合は、
トラッキングエリア更新要求メッセージを、前記コアネットワークに含まれる装置に送信するステップと、
情報Aを含むトラッキングエリア更新受諾メッセージを、前記コアネットワークに含まれる装置から受信するステップと、
前記PDUセッションをレジュームするステップとを有し、
前記タイマーが満了した場合は、前記PDUセッションを切断するステップを有し、
前記情報Aは、前記PDUセッションがレジュームされること示す情報である
事を特徴とする請求項11に記載の端末装置の通信制御方法。
【請求項１３】
アタッチ手続きを実行するステップをさらに有し、
前記アタッチ手続きにおいて、
前記トラッキングエリアリストと、情報Bとを、前記コアネットワーク含まれる装置から受信するステップを有し、
前記情報Bは、前記コアネットワークが前記PDUセッションをサポートすること示す情報である
事を特徴とする請求項11又は請求項12に記載の端末装置の通信制御方法。
【請求項１４】
前記PDUセッション確立手続きにおいて、
情報Cを、前記コアネットワーク含まれる装置から受信するステップをさらに有し、
前記情報Cは、前記PDUセッションがサスペンド可能なPDUセッションであることを示す情報である
事を特徴とする請求項11から請求項13に記載の端末装置の通信制御方法。
【請求項１５】
前記トラッキングエリア更新手続きにおいて、
前記トラッキングエリアリストとは異なるトラッキングエリアリストと、前記タイマーの値とを、前記コアネットワーク含まれる装置から受信するステップをさらに有す
事を特徴とする請求項11から請求項14に記載の端末装置の通信制御方法。
【請求項１６】
コアネットワークに含まれる装置の通信制御方法であって、端末装置との間で、
PDUセッション確立手続きを実行するステップと、
前記PDUセッション確立手続きの完了に基づいて、前記コアネットワークと前記端末装置との間でPDUセッションを確立するステップと、
トラッキングエリア更新手続きとを実行するステップと、
前記トラッキングエリア更新手続きの完了に基づいて、前記PDUセッションをサスペンドするステップと、
前記PDUセッションの状態を管理するためのタイマーを実行するステップとを有す
事を特徴とするコアネットワークに含まれる装置の通信制御方法。
【請求項１７】
前記PDUセッションがサスペンドされた状態で、さらに、トラッキングエリア更新要求メッセージを、前記端末装置から受信した場合は、
前記PDUセッションがレジュームされること示す情報を、前記端末装置に送信するステップと、
前記PDUセッションをレジュームするステップを有し  前記タイマーが満了した場合は、前記PDUセッションを切断するステップを有す
事を特徴とする請求項16に記載のコアネットワークに含まれる装置の通信制御方法。
【請求項１８】
アタッチ手続きを実行するステップをさらに有し、
前記アタッチ手続きにおいて、
トラッキングエリアリストと、前記コアネットワークが前記PDUセッションをサポートすること示す情報とを、前記端末装置に送信するステップを有す
事を特徴とする請求項16又は請求項17に記載のコアネットワークに含まれる装置の通信制御方法。
【請求項１９】
前記PDUセッション確立手続きにおいて、
前記PDUセッションがサスペンド可能なPDUセッションであることを示す情報を、前記端末装置に送信するステップをさらに有す
事を特徴とする請求項16から請求項18に記載のコアネットワークに含まれる装置の通信制御方法。
【請求項２０】
前記トラッキングエリア更新手続きにおいて、
前記トラッキングエリアリストとは異なるトラッキングエリアリストと、前記タイマーの値とを、前記端末装置に送信するステップをさらに有す
事を特徴とする請求項16から請求項19に記載のコアネットワークに含まれる装置の通信制御方法。
【発明の詳細な説明】
【技術分野】
【０００１】
本発明は、端末装置、コアネットワーク装置、及び通信制御方法に関する。
【背景技術】
【０００２】
近年の移動通信システムの標準化活動を行う3GPP(3rd Generation Partnership Project)は、LTE(Long Term Evolution)のシステムアーキテクチャであるSAE(System Architecture Evolution)の検討を行っている。3GPPは、オールIP(Internet Protocol)化を実現する通信システムとしてEPS(Evolved Packet System)の仕様化を行っている。なお、EPSを構成するコアネットワークはEPC(Evolved Packet Core)と呼ばれる。
【０００３】
また、近年3GPPでは、次世代移動通信システムである5G(5th Generation)移動通信システムの次世代通信技術やシステムアーキテクチャの検討も行っており、次世代通信技術として、NextGen(Architecture and Security for Next Generation System)の検討を行っている。NextGenでは、多種多様な端末をセルラーネットワークに接続する為の技術課題を抽出し、解決策を仕様化している。
【０００４】
例えば、多種多様なアクセスネットワークをサポートする端末に応じた、継続的な移動通信サービスをサポートする為の通信手続きの最適化及び多様化や、通信手続きの最適化及び多様化に合わせたシステムアーキテクチャの最適化等も要求条件として挙げられている。
【先行技術文献】
【非特許文献】
【０００５】
【非特許文献１】3GPP TR 23.799; Technical Specification Group Services and System Aspects; Study on Architecture for Next Generation System; (Release 14)
【発明の概要】
【発明が解決しようとする課題】
【０００６】
NextGenでは、端末、ネットワーク装置間の移動通信サービスにおけるセッション管理の多様化の為の検討が行われている。
【０００７】
より具体的には、サポートするセッション継続性の種類を多様化する事で、端末やネットワーク装置に適した継続的な移動通信サービスを提供する為の検討行われている。
【０００８】
しかし、多種多様なセッション継続性をサポートした端末やネットワーク装置の為のセッションを確立する為の手段や、多種多様なセッション継続性を実現する為の手段等が明らかになっていない。
【０００９】
本発明は、このような事情を鑑みてなされたもので、その目的は、セッション確立の為の手段や、多種多様なセッション継続性を実現する為の通信制御手段等を提供する事である。
【課題を解決するための手段】
【００１０】
本発明の端末装置は、コアネットワークに含まれる装置との間で、PDUセッション確立手続きを実行し、トラッキングエリアAからトラッキングエリアBに移動した際に、さらに、トラッキングエリア更新手続きを実行する送受信部と、前記PDUセッション確立手続きの完了に基づいて、PDUセッションを確立し、前記トラッキングエリア更新手続きの完了に基づいて、前記PDUセッションをサスペンドし、さらに、前記PDUセッションの状態を管理するためのタイマーを実行する制御部とを備え、前記トラッキングエリアAは、前記トラッキングエリア更新手続きの実行前に前記端末装置が保持しているトラッキングエリアリストに含まれるトラッキングエリアであり、前記トラッキングエリアBは、前記トラッキングエリアAとは異なるトラッキングエリアであり、さらに、前記トラッキングエリアリストに含まれないトラッキングエリアである事を特徴。
【００１１】
コアネットワークに含まれる本発明のゲートウェイは、端末装置との間で、PDUセッション確立手続きと、トラッキングエリア更新手続きとを実行する送受信部と、前記PDUセッション確立手続きの完了に基づいて、前記コアネットワークと前記端末装置との間でPDUセッションを確立し、前記トラッキングエリア更新手続きの完了に基づいて、前記PDUセッションをサスペンドし、さらに、前記PDUセッションの状態を管理するためのタイマーを実行する制御部とを備える事を特徴とする。
【００１２】
本発明の端末装置の通信制御方法は、コアネットワークに含まれる装置との間で、PDUセッション確立手続きを実行するステップと、前記PDUセッション確立手続きの完了に基づいて、PDUセッションを確立するステップと、トラッキングエリアAからトラッキングエリアBに移動した際に、さらに、トラッキングエリア更新手続きを実行するステップと、前記トラッキングエリア更新手続きの完了に基づいて、前記PDUセッションをサスペンドするステップと、前記PDUセッションの状態を管理するためのタイマーを実行するステップとを有し、前記トラッキングエリアAは、前記トラッキングエリア更新手続きの実行前に前記端末装置が保持しているトラッキングエリアリストに含まれるトラッキングエリアであり、前記トラッキングエリアBは、前記トラッキングエリアAとは異なるトラッキングエリアであり、さらに、前記トラッキングエリアリストに含まれないトラッキングエリアである事を特徴とする。
【００１３】
コアネットワークに含まれる本発明のゲートウェイの通信制御方法は、端末装置との間で、PDUセッション確立手続きを実行するステップと、前記PDUセッション確立手続きの完了に基づいて、前記コアネットワークと前記端末装置との間でPDUセッションを確立するステップと、トラッキングエリア更新手続きとを実行するステップと、前記トラッキングエリア更新手続きの完了に基づいて、前記PDUセッションをサスペンドするステップと、前記PDUセッションの状態を管理するためのタイマーを実行するステップとを有す事を特徴とする。
【発明の効果】
【００１４】
本発明によれば、端末装置及びコアネットワーク内の各装置は、多種多様なセッション継続性をサポートすることができ、さらに、適切な種類のセッション継続性をサポートしたセッションを用いる事で、多種多様なユーザデータの通信を実現する事ができる。
【図面の簡単な説明】
【００１５】
【図１】移動通信システムの概略を説明する為の図である。
【図２】第2のUEのモビリティに伴う手続きを説明する為の図である。
【図３】移動通信システムにおけるコアネットワーク及びアクセスネットワークの構成等の1例を説明する為の図である。
【図４】UEの装置構成を説明する為の図である。
【図５】UEの記憶部を説明する為の図である。
【図６】eNB/NR node/WAGの装置構成を説明する為の図である。
【図７】MME/CPFの装置構成を説明する為の図である。
【図８】MME/CPFの記憶部を説明する為の図である。
【図９】MME/CPFの記憶部を説明する為の図である。
【図１０】SGW/PGW/UPGW/SCEFの装置構成を説明する為の図である。
【図１１】SGWの記憶部を説明する為の図である。
【図１２】PGW/UPGWの記憶部を説明する為の図である。
【図１３】SCEFの記憶部を説明する為の図である。
【図１４】初期手続きを説明する為の図である。
【図１５】PDUセッション確立手続きを説明する為の図である。
【図１６】アタッチ手続きを説明する為の図である。
【図１７】トラッキングエリア更新手続きを説明する為の図である。
【図１８】第1のUEのモビリティに伴う手続きを説明する為の図である。
【発明を実施するための形態】
【００１６】
以下、図面を参照して本発明を実施する為に最良の形態について説明する。なお、本実施形態では1例として、本発明を適用した場合の移動通信システムの実施形態について説明する。
【００１７】
[1.システム概要]
図1は、本実施形態における移動通信システムの概略を説明する為の図である。本図に示すように、移動通信システム1は、移動端末装置UE_A10とアクセスネットワーク_Bとコアネットワーク_B190とPDN(Packet Data Network)_A5により構成されている。ここで、UE_A10は無線接続可能な端末装置であればよく、UE(User Equipment)、ME(Mobile Equipment)、MS(Mobile Station)、又はCIoT(Cellular Internet of Things)端末(CIoT UE)等でもよい。さらに、コアネットワークは、コアネットワーク_B190であってもよく、アクセスネットワークは、アクセスネットワーク_Bであってもよい。さらに、コアネットワークは、コアネットワーク装置であってもよい。もしくは、本実施形態において、コアネットワーク装置とは、コアネットワーク_B190に含まれる各装置及び/又は各装置の処理又は機能の一部又は全てを実行する装置であってよい。アクセスネットワーク_Bは、NextGen RAN_A120及び/又は、E-UTRAN_A80及び/又は、WLAN ANc125であってよい。
【００１８】
また、UE_A10は、アクセスネットワーク及び/又はコアネットワークと接続する事ができる。さらに、UE_A10は、アクセスネットワーク及び/又はコアネットワークを介してPDN_A5と接続する事ができ、さらにPDN_A5との間でユーザデータを送受信する。なお、ユーザデータとは、UE_A10とPDN_A5との間で送受信するデータでよい。さらに、ユーザデータの送受信(通信)はPDU(Protocol Data Unit、又はPacket Data Unit)セッションを用いて実施されてもよいし、PDNコネクション(Packet Data Network Connection)を用いて実施されてもよい。さらに、ユーザデータの通信は、IP(Internet Protocol)通信に限らず、non-IP通信でもよい。
【００１９】
ここで、PDUセッション又はPDNコネクション(以下、PDN接続とも称する)は、UE_A10とPDN_A5との間のユーザデータの送受信等を行うPDU接続サービスを提供する為、UE_A10とPDN_A5との間で確立される接続性である。より具体的には、PDUセッション又はPDNコネクションは、UE_A10と外部ゲートウェイとの間で確立する接続性でよい。ここで、外部ゲートウェイは、PGW(Packet Data Network Gateway)_A30やUPGW(User Plane Gateway)_A130やSCEF(Service Capability Exposure Function)_A46等のコアネットワークとPDN_A5を接続する装置でよい。
【００２０】
また、PDUセッション又はPDNコネクションは、UE_A10と、コアネットワーク及び/又はPDN_A5との間でユーザデータを送受信する為に確立される通信路でもよく、PDUを送受信する為の通信路でもよい。さらに、PDUセッション又はPDNコネクションは、UE_A10と、コアネットワーク及び/又はPDN_A5との間で確立されるセッションでもよく、移動通信システム1内の各装置間の1又は複数のベアラ等の転送路で構成される論理的な通信路でもよい。より具体的には、PDUセッションは、UE_A10が、コアネットワーク_B190、及び/又は外部ゲートウェイとの間に確立するコネクションでもよく、UE_A10と、UPGW_A130との間に確立するコネクションでもよいし、PDNコネクション(Packet Data Network Connection)等のコネクションでもよい。
【００２１】
なお、PDNコネクションは、eNB(evolved Node B)_A45及び/又はSGW(Serving Gateway)_A35を介したUE_A10とPGW_A30との間の接続性及び/又はコネクションでもよいし、eNB_A45及び/又はMME(Mobility Management Entity)_A40を介したUE_A10とSCEF_A46との間の接続性及び/又はコネクションでもよい。さらに、PDUセッションは、NR node_A122を介したUE_A10とUPGW_A130との間の接続性及び/又はコネクションでもよい。さらに、PDNコネクションはPDNコネクションIDで識別されてよく、PDUセッションはPDUセッションIDで識別されてもよい。さらに、PDNコネクション及びPDUセッションは、EPSベアラIDで識別されてもよい。
【００２２】
なお、UE_A10は、PDN_A5に配置するアプリケーションサーバー等の装置と、PDUセッション又はPDNコネクションを用いてユーザデータの送受信を実行する事ができる。言い換えると、PDUセッション又はPDNコネクションは、UE_A10とPDN_A5に配置するアプリケーションサーバー等の装置との間で送受信されるユーザデータを転送する事ができる。さらに、各装置(UE_A10、アクセスネットワーク内の装置、及び/又はコアネットワーク内の装置)は、PDUセッション又はPDNコネクションに対して、1又は複数の識別情報を対応づけて管理してもよい。なお、これらの識別情報には、APN(Access Point Name)、TFT(Traffic Flow Template)、セッションタイプ、アプリケーション識別情報、PDN_A5の識別情報、NSI(Network Slice Instance)識別情報、及びDCN(Dedicated Core Network)識別情報、及びアクセスネットワーク識別情報のうち、少なくとも1つが含まれてもよいし、その他の情報がさらに含まれてもよい。さらに、PDUセッション又はPDNコネクションを複数確立する場合には、PDUセッション又はPDNコネクションに対応づけられる各識別情報は、同じ内容でもよいし、異なる内容でもよい。さらに、NSI識別情報は、NSIを識別する情報であり、以下NSI ID又はSlice Instance IDであってもよい。
【００２３】
また、IP通信とは、IPを用いたデータの通信の事であり、IPヘッダが付与されたIPパケットの送受信によって実現されるデータ通信の事である。なお、IPパケットを構成するペイロード部にはUE_A10が送受信するユーザデータが含まれてよい。また、non-IP通信とは、IPを用いないデータの通信の事であり、IPヘッダが付与されていないデータの送受信によって実現されるデータ通信の事である。例えば、non-IP通信は、IPパケットが付与されていないアプリケーションデータの送受信によって実現されるデータ通信でもよいし、マックヘッダやEthernet(登録商標)フレームヘッダ等の別のヘッダを付与してUE_A10が送受信するユーザデータを送受信してもよい。
【００２４】
さらに、PDN_A5は、UE_A10に通信サービスを提供するDN(Data Network)であってよい。なお、DNは、パケットデータサービス網として構成されてもよいし、サービス毎に構成されてもよい。さらに、PDN_A5は、接続された通信端末を含んでもよい。従って、PDN_A5と接続する事は、PDN_A5に配置された通信端末やサーバ装置と接続する事であってもよい。さらに、PDN_A5との間でユーザデータを送受信する事は、PDN_A5に配置された通信端末やサーバ装置とユーザデータを送受信する事であってもよい。なお、PDN_A5のことをDNと表現してもよいし、DNのことをPDN_A5と表現してもよい。
【００２５】
さらに、アクセスネットワークは、UE_A10及び/又はコアネットワークと接続した無線ネットワークの事である。アクセスネットワークは、3GPPアクセスネットワークでもよく、non-3GPPアクセスネットワークでもよい。なお、3GPPアクセスネットワークは、E-UTRAN(Evolved Universal Terrestrial Radio Access Network)_A80、NextGen RAN(Next Generation Radio Access Network)_A120でもよく、non-3GPPアクセスネットワークは、WLAN ANc125でもよい。なお、UE_A10はコアネットワークに接続する為に、アクセスネットワークに接続してもよく、アクセスネットワークを介してコアネットワークに接続してもよい。
【００２６】
さらに、コアネットワークは、アクセスネットワーク及び/又はPDN_A5と接続した移動体通信事業者(Mobile Network Operator)が運用するIP移動通信ネットワークの事である。コアネットワークは、移動通信システム1を運用、管理する移動通信事業者の為のコアネットワークでもよいし、MVNO(Mobile Virtual Network Operator)、MVNE(Mobile Virtual Network Enabler)等の仮想移動通信事業者や仮想移動体通信サービス提供者の為のコアネットワークでもよい。なお、コアネットワーク_B190は、EPS(Evolved Packet System)を構成するEPC(Evolved Packet Core)でもよく、NGS(NextGen System(Next Generation System))を構成するNGC(Next Generation(NextGen) Core)でもよい。さらに、コアネットワーク_B190は、5G通信サービスを提供するシステムのコアネットワークでもよい。なお、コアネットワーク_B190は、これに限らず、モバイル通信サービスを提供するためのネットワークでもよい。
【００２７】
次に、コアネットワーク_B190の構成例を説明する。コアネットワーク_B190の構成の1例を説明する。図3にコアネットワーク_B190の構成の1例を示す。図3(a)のコアネットワーク_B190は、HSS_A50、PCRF_A60、UPGW(User Plane Gateway)_A130、CPF(Control Plane Function)_A140、SCEF_A46により構成される。
【００２８】
また、コアネットワーク_B190は、複数の無線アクセスネットワーク(E-UTRAN_A80、NextGen RAN_A120、WLAN ANc125)に接続する事ができる。無線アクセスネットワークは、複数の異なるアクセスネットワークに接続した構成でもよいし、いずれか1つのアクセスネットワークに接続した構成でもよい。さらに、UE_A10は無線アクセスネットワークに無線接続する事ができる。
【００２９】
さらに、3GPPアクセスシステムで接続可能なアクセスネットワークは、E-UTRAN_A80とNextGen RAN_A120とが構成可能である。さらに、WLANアクセスシステムで接続可能なアクセスネットワークは、CPF_A140とUPGW_A130とに接続するWLANアクセスネットワークc(WLAN ANc125)とが構成可能である。以下、各装置の簡単な説明をする。
【００３０】
UPGW_A130は、PDN_A5とPCRF_A60とCPF_A140とE-UTRAN80とNextGen RAN_A120とWLAN ANc125とに接続される装置であり、PDN_A5及び/又はDNとコアネットワーク_B190とのゲートウェイとしてユーザデータの転送を行う中継装置である。なお、UPGW_A130は、IP通信及び/又はnon-IP通信の為のゲートウェイでもよい。さらに、UPGW_A130は、IP通信を転送する機能を持っていてもよく、non-IP通信とIP通信を変換する機能を持っていてもよい。なお、こうしたゲートウェイはコアネットワーク_B190に複数配置されてよい。さらに複数配置されるゲートウェイは、コアネットワーク_B190と単一のDNを接続するゲートウェイでもよい。なお、UPGW_A130は、他のNFとの接続性を備えてもよく、他のNFを介して各装置に接続してもよい。なお、UPGW_A130は、はSGW_A35及び/又はPGW_A30であってもよい。
【００３１】
PGW_A30は、PDN_A5とSGW_A35とPCRF_A60とに接続されており、PDN_A5及び/又はDNとコアネットワーク_B190とのゲートウェイとしてユーザデータの転送を行う中継装置である。なお、PGW_A30は、IP通信及び/又はnon-IP通信の為のゲートウェイでもよい。
【００３２】
さらに、PGW_A30は、IP通信を転送する機能を持っていてもよく、non-IP通信とIP通信を変換する機能を持っていてもよい。なお、こうしたゲートウェイはコアネットワーク_B190に複数配置されてよい。さらに複数配置されるゲートウェイは、コアネットワーク_B190と単一のDNを接続するゲートウェイでもよい。
【００３３】
なお、U-Plane(User Plane)とは、ユーザデータを送受信する為の通信路でもよく、複数のベアラで構成されてもよい。さらに、C-Plane(Control Plane)とは、制御メッセージを送受信する為の通信路でもよく、複数のベアラで構成されてもよい。
【００３４】
さらに、PGW_A30は、UPファンクションとPolicyファンクションとに接続されてもよいし、U-Planeを介してUE_A10と接続されてもよい。さらに、PGW_A30は、UPGW_A130と一緒に構成されてもよい。
【００３５】
SGW_A35は、PGW_A30とMME_A40とE-UTRAN_A80とに接続されており、コアネットワーク_B190と3GPPのアクセスネットワーク(E-UTRAN_A80、NextGen RAN_A120)とのゲートウェイとしてユーザデータの転送を行う中継装置である。
【００３６】
さらに、SGW_A35は、アクセスネットワークとの接点を持ったユーザデータの転送を行うUPファンクションでもよく、アクセスネットワークとコアネットワークとの間でユーザデータを転送する為のゲートウェイであるUPGW(User Plane Gateway)_A130でもよい。
【００３７】
さらに、CPF_A140は、UPGW_A130とE-UTRAN_A80とNextGen RAN_A120とWLAN ANc125とHSS_A50とSCEF_A46に接続される装置である。CPF_140は、UE_A10等のモビリティ管理の役割を担うNFでもよく、PDUセッション等のセッション管理の役割を担うNFでもよく、1又は複数のNSIを管理するNFでもよい。また、CPF_140は、これらの1又は複数の役割を担うNFでよい。なお、NFは、コアネットワーク_B190内に1又は複数配置される装置でもよく、制御情報及び/又は制御メッセージの為のCPファンクション(Control Plane Function、又はControl Plane Network Function)でもよく、複数のNSI間で共有される共有CPファンクション(CCNF; Common CPNF(Control Plane Network Function))でもよい。なお、CPF_A140は、他のNFとの接続性を備えてもよく、他のNFを介して各装置に接続してもよい。なお、CPF_A140は、MME_A40であってもよい。
【００３８】
MME_A40は、SGW_A35とアクセスネットワークとHSS_A50とSCEF_A46とに接続されており、アクセスネットワークを経由してUE_A10のモビリティ管理を含む位置情報管理と、アクセス制御を行う制御装置である。さらに、MME_A40は、UE_A10が確立するセッションを管理するセッション管理装置としての機能を含んでもよい。
【００３９】
また、コアネットワーク_B190には、こうした制御装置を複数配置してもよく、例えば、MME_A40とは異なる位置管理装置が構成されてもよい。MME_A40とは異なる位置管理装置は、MME_A40と同様に、SGW_A35とアクセスネットワークとSCEF_A46とHSS_A50と接続されてよい。
【００４０】
また、コアネットワーク_B190内に複数のMMEが含まれている場合、MME同士が接続されてもよい。これにより、MME間で、UE_A10のコンテキストの送受信が行われてもよい。このように、MME_A40は、UE_A10とモビリティ管理やセッション管理に関連する制御情報を送受信する管理装置であり、言い換えるとコントロールプレーン(Control Plane；C-Plane；CP)の制御装置であればよい。
【００４１】
さらに、MME_A40はコアネットワーク_B190に含まれて構成される例を説明したが、MME_A40は1又は複数のコアネットワーク又はDCN又はNSIに構成される管理装置でもよいし、1又は複数のコアネットワーク又はDCN又はNSIに接続される管理装置でもよい。ここで、複数のDCN又はNSIは単一の通信事業者によって運用されてもよいし、それぞれ異なる通信事業者によって運用されてもよい。
【００４２】
また、MME_A40は、コアネットワーク_B190とアクセスネットワークとの間のゲートウェイとしてユーザデータの転送を行う中継装置でもよい。なお、MME_A40がゲートウェイとなって送受信されるユーザデータは、スモールデータでもよい。
【００４３】
さらに、MME_A40は、UE_A10等のモビリティ管理の役割を担うNFでもよく、PDUセッション等のセッション管理の役割を担うNFでもよく、1又は複数のNSIを管理するNFでもよい。また、MME_A40は、これらの1又は複数の役割を担うNFでよい。なお、NFは、コアネットワーク_B190内に1又は複数配置される装置でもよく、制御情報及び/又は制御メッセージの為のCPファンクション(以下、CPF（Control Plane Function）、又はControl Plane Network Functionとしても称される)でもよく、複数のNSI間で共有される共有CPファンクションでもよい。
【００４４】
ここで、NFとは、ネットワーク内に構成される処理機能である。つまり、NFは、MMEやSGWやPGWやCPFやUPGW等の機能装置でもよいし、MM(Mobility Management)やSM(Session Management)等の機能や能力capability情報でもよい。また、NFは、単一の機能を実現する為の機能装置でもよいし、複数の機能を実現する為の機能装置でもよい。例えば、MM機能を実現する為のNFと、SM機能を実現する為のNFとが別々に存在してもよいし、MM機能とSM機能との両方の機能を実現する為のNFが存在してもよい。
【００４５】
SCEF_A46は、PDN_A5とCPF_A140又はMME_A40とHSS_A50とに接続されており、PDN_A5及び/又はDNとコアネットワーク_B190とを繋ぐゲートウェイとしてユーザデータの転送を行う中継装置である。なお、SCEF_A46は、non-IP通信の為のゲートウェイでもよい。さらに、SCEF_A46は、non-IP通信とIP通信を変換する機能を持っていてもよい。また、こうしたゲートウェイはコアネットワーク_B190に複数配置されてよい。さらに、コアネットワーク_B190と単一のPDN_A5及び/又はDNを接続するゲートウェイも複数配置されてよい。なお、SCEF_A46はコアネットワークの外側に構成されてもよいし、内側に構成されてもよい。
【００４６】
HSS_A50は、MME_A40とSCEF_A46とに接続されており、加入者情報の管理を行う管理ノードである。HSS_A50の加入者情報は、例えばMME_A40のアクセス制御の際に参照される。さらに、HSS_A50は、MME_A40とは異なる位置管理装置と接続されていてもよい。例えば、HSS_A50は、CPF_A140と接続されていてもよい。
【００４７】
PCRF_A60は、UPGW_A130又はPGW_A30とPDN_A5とに接続されており、データ配送に対するQoS管理を行う。例えば、UE_A10とPDN_A5間の通信路のQoSの管理を行う。さらに、PCRF_A60は、各装置がユーザデータを送受信する際に用いるPCC(Policy and Charging Control)ルール、及び/又はルーティングルールを作成、及び/又は管理する装置でもよい。
【００４８】
また、PCRF_A60は、ポリシーを作成及び/又は管理するPolicyファンクションでもよい。より詳細には、PCRF_A60は、UPファンクションに接続されていてもよい。
【００４９】
また、図3(b)に示すように、各無線アクセスネットワークには、UE_A10が実際に接続される装置(例えば、基地局装置やアクセスポイント装置)等が含まれている。接続に用いられる装置は、無線アクセスネットワークに適応した装置が考えられる。
【００５０】
本実施形態においては、E-UTRAN_A80は、LTE(Long Term Evolution)のアクセスネットワークであり、eNB_A45を含んで構成される。eNB_A45はE-UTRA(Evolved Universal Terrestrial Radio Access)でUE_A10が接続する無線基地局であり、E-UTRAN_A80には1又は複数のeNB_A45が含まれて構成されてよい。また、複数のeNBは互いに接続してよい。
【００５１】
さらに、NextGen RAN_A120は、5Gのアクセスネットワークであり、NR node(New Radio Access Technology node)_A122を含んで構成される。NR node_A122はNextGen RA(Next Generation Radio Access)でUE_A10が接続する無線基地局であり、NextGen RAN_A120には1又は複数のNR node_A122が含まれて構成されてよい。なお、NextGen RAN_A120に複数のNR node_A122が含まれる場合、NextGen RAN_A120には、NR node_A122とNR node_B123とが含まれてもよい。この場合、NR node_B123はNR node_A122と同じ構成であってよい。
【００５２】
さらに、NextGen RAN_A120は、E-UTRA及び/又はNextGen RAで構成されるアクセスネットワークでもよい。言い換えると、NextGen RAN_A120には、eNB_A45が含まれてもよいし、NR node_A122が含まれてもよいし、その両方が含まれてもよい。この場合、eNB_A45とNR node_A122とは同様の装置であってもよい。従って、NR node_A122は、eNB_A45と置き換えことができる。
【００５３】
WLAN ANc125は、無線LANアクセスネットワークであり、WAG_A126が含まれて構成される。WAG(WLAN Access Gateway)_A126は、無線LANアクセスでUE_A10が接続する無線基地局であり、WLAN ANc125には1又は複数のWAG_A126が含まれて構成されてよい。さらに、WAG_A126はコアネットワーク_B190とWLAN ANc125のゲートウェイでもよい。また、WAG_A126は、無線基地局の機能部とゲートウェイの機能部とが別の装置で構成されてもよい。
【００５４】
なお、本明細書において、UE_A10が各無線アクセスネットワークに接続されるという事は、各無線アクセスネットワークに含まれる基地局装置やアクセスポイント等に接続される事であり、送受信されるデータや信号等も、基地局装置やアクセスポイントを経由するという事である。なお、UE_A10とコアネットワーク_B190間で送受信する制御メッセージは、アクセスネットワークの種類によらず、同じ制御メッセージでもよい。従って、UE_A10とコアネットワーク_B190とがNR node_A122を介してメッセージを送受信するということは、UE_A10とコアネットワーク_B190とがeNB_A45、及び/又はWAG_A126を介してメッセージを送信することと同じであってよい。
【００５５】
[1.2.装置の構成]
まず、各装置で記憶される識別情報について説明する。IMSI(International Mobile Subscriber Identity)は、加入者(ユーザ)の永久的な識別情報であり、UEを使用するユーザに割り当てられる識別情報である。UE_A10及びMME_A40/CPF_A140及びSGW_A35が記憶するIMSIは、HSS_A50が記憶するIMSIと等しくてよい。
【００５６】
EMM State/MM Stateは、UE_A10又はMME_A40/CPF_A140の移動管理(Mobility management)状態を示す。例えば、EMM State/MM Stateは、UE_A10がネットワークに登録されているEMM-REGISTERED状態(登録状態)、及び/又はUE_A10がネットワークに登録されていないEMM-DEREGISTERD状態(非登録状態)でもよい。また、EMM State/MM Stateは、UE_A10とコアネットワーク間の接続が維持されているECM-CONNECTED状態、及び/又は接続が解放されているECM-IDLE状態でもよい。なお、EMM State/MM Stateは、UE_A10がEPCに登録されている状態と、NGCに登録されている状態とを、区別できる情報であってもよい。
【００５７】
GUTI(Globally Unique Temporary Identity)は、UE_A10の一時的な識別情報である。GUTIは、MME_A40/CPF_A140の識別情報(GUMMEI(Globally Unique MME Identifier))と特定MME_A40/CPF_A140内でのUE_A10の識別情報(M-TMSI(M-Temporary Mobile Subscriber Identity))とにより構成される。ME Identityは、UE_A10又はMEのIDであり、例えば、IMEI(International Mobile Equipment Identity)やIMEISV(IMEI Software Version)でもよい。MSISDNは、UE_A10の基本的な電話番号を表す。MME_A40/CPF_A140が記憶するMSISDNはHSS_A50の記憶部により示された情報でよい。なお、GUTIには、CPF_140を識別する情報が含まれてもよい。
【００５８】
MME F-TEIDは、MME_A40/CPF_A140を識別する情報である。MME F-TEIDには、MME_A40/CPF_A140のIPアドレスが含まれてもよいし、MME_A40/CPF_A140のTEID(Tunnel Endpoint Identifier)が含まれてもよいし、これらの両方が含まれてもよい。また、MME_A40/CPF_A140のIPアドレスとMME_A40/CPF_A140のTEIDは独立して記憶されてもよい。また、MME F-TEIDは、ユーザデータ用の識別情報でもよいし、制御情報用の識別情報でもよい。
【００５９】
SGW F-TEIDは、SGW_A35を識別する情報である。SGW F-TEIDには、SGW_A35のIPアドレスが含まれてもよいし、SGW_A35のTEIDが含まれてもよいし、これら両方が含まれてもよい。また、SGW_A35のIPアドレスとSGW_A35のTEIDとは、独立して記憶されてもよい。また、SGW F-TEIDは、ユーザデータ用の識別情報でもよいし、制御情報用の識別情報でもよい。
【００６０】
PGW F-TEIDは、PGW_A30/UPGW_A130を識別する情報である。PGW F-TEIDには、PGW_A30/UPGW_A130のIPアドレスが含まれてもよいし、PGW_A30/UPGW_A130のTEIDが含まれてもよいし、これらの両方が含まれてもよい。また、PGW_A30/UPGW_A130のIPアドレスとPGW_A30/UPGW_A130のTEIDは独立して記憶されてもよい。また、PGW F-TEIDは、ユーザデータ用の識別情報でもよいし、制御情報用の識別情報でもよい。
【００６１】
eNB F-TEIDはeNB_A45を識別する情報である。eNB F-TEIDには、eNB_A45のIPアドレスが含まれてもよいし、eNB_A45のTEIDが含まれてもよいし、これら両方が含まれてもよい。また、eNB_A45のIPアドレスとSGW_A35のTEIDとは、独立して記憶されてもよい。また、eNB F-TEIDは、ユーザデータ用の識別情報でもよいし、制御情報用の識別情報でもよい。
【００６２】
また、APNは、コアネットワークとDN等の外部ネットワークとを識別する識別情報でよい。さらに、APNは、コアネットワークA_90を接続するPGW_A30/UPGW_A130等のゲートウェイを選択する情報として用いる事もできる。
【００６３】
なお、APNは、こうしたゲートウェイを識別する識別情報でもよいし、DN等の外部ネットワークを識別する識別情報でもよい。なお、コアネットワークとDNとを接続するゲートウェイが複数配置される場合には、APNによって選択可能なゲートウェイは複数あってもよい。さらに、APN以外の識別情報を用いた別の手法によって、こうした複数のゲートウェイの中から1つのゲートウェイを選択してもよい。
【００６４】
UE Radio Access Capabilityは、UE_A10の無線アクセス能力を示す識別情報である。UE Network Capabilityは、UE_A10にサポートされるセキュリティーのアルゴリズムと鍵派生関数を含める。MS Network Capabilityは、GERAN_A25及び/又はUTRAN_A20機能をもつUE_A10に対して、SGSN_A42に必要な1又は複数の情報を含める情報である。Access Restrictionは、アクセス制限の登録情報である。eNB Addressは、eNB_A45のIPアドレスである。MME UE S1AP IDは、MME_A40/CPF_A140内でUE_A10を識別する情報である。eNB UE S1AP IDは、eNB_A45内でUE_A10を識別する情報である。
【００６５】
APN in Useは、最近使用されたAPNである。APN in UseはData Network Identifierでもよい。このAPNは、ネットワークの識別情報と、デフォルトのオペレータの識別情報とで構成されてよい。さらに、APN in Useは、PDUセッションの確立先のDNを識別する情報でもよい。
【００６６】
Assigned Session Typeは、PDUセッションのタイプを示す情報である。Assigned Session TypeはAssigned PDN Typeでもよい。PDUセッションのタイプは、IPでもよいし、non-IPでもよい。さらに、PDUセッションのタイプがIPである場合、ネットワークから割り当てられたPDNのタイプを示す情報をさらに含んでもよい。なお、Assigned Session Typeは、IPv4、IPv6、又はIPv4v6でよい。
【００６７】
また、特に記載がない場合には、IP Addressは、UEに割り当てられたIPアドレスである。IPアドレスは、IPv4アドレスでもよいし、IPv6アドレスでもよいし、IPv6プレフィックスでもよい。なお、Assigned Session Typeがnon-IPを示す場合、IP Addressの要素を含まなくてもよい。
【００６８】
DN IDは、コアネットワーク_B190とDN等の外部ネットワークとを識別する識別情報である。さらに、DN IDは、コアネットワーク_B190を接続するUPGW_A130等のゲートウェイを選択する情報として用いる事もできる。
【００６９】
なお、DN IDは、こうしたゲートウェイを識別する識別情報でもよいし、DN等の外部ネットワークを識別する識別情報でもよい。なお、コアネットワーク_B190とDNとを接続するゲートウェイが複数配置される場合には、DN IDによって選択可能なゲートウェイは複数あってもよい。さらに、DN ID以外の識別情報を用いた別の手法によって、こうした複数のゲートウェイの中から1つのゲートウェイを選択してもよい。
【００７０】
さらに、DN IDは、APNと等しい情報でもよいし、APNとは異なる情報でもよい。なお、DN IDとAPNが異なる情報である場合、各装置は、DN IDとAPNとの対応関係を示す情報を管理してもよいし、DN IDを用いてAPNを問い合わせる手続きを実施してもよいし、APNを用いてDN IDを問い合わせる手続きを実施してもよい。
【００７１】
SCEF IDは、PDUセッションで用いられているSCEF_A46のIPアドレスである。Default Bearerは、PDUセッション確立時に取得及び/又は生成する情報であり、PDUセッションに対応づけられたデフォルトベアラ(default bearer)を識別する為のEPSベアラ識別情報である。
【００７２】
EPS Bearer IDは、EPSベアラの識別情報である。また、EPS Bearer IDは、SRB(Signalling Radio Bearer)及び/又はCRB(Control-plane Radio bearer)を識別する識別情報でもよいし、DRB(Data Radio Bearer)を識別する識別情報でもよい。TI(Transaction Identifier)は、双方向のメッセージフロー(Transaction)を識別する識別情報である。なお、EPS Bearer IDは、デディケイテッドベアラ(dedicated bearer)を識別するEPSベアラ識別情報でよい。したがって、デフォルトベアラとは異なるEPSベアラを識別する識別情報でよい。TFTは、EPSベアラと関連づけられた全てのパケットフィルターを示す。TFTは送受信するユーザデータの一部を識別する情報であり、UE_A10は、TFTによって識別されたユーザデータを、TFTに関連付けたEPSベアラを用いて送受信する。さらに言い換えると、UE_A10は、TFTによって識別されたユーザデータを、TFTに関連づけたRB(Radio Bearer)を用いて送受信する。また、TFTは、送受信するアプリケーションデータ等のユーザデータを適切な転送路に対応づけるものでもよく、アプリケーションデータを識別する識別情報でもよい。また、UE_A10は、TFTで識別できないユーザデータを、デフォルトベアラを用いて送受信してもよい。また、UE_A10は、デフォルトベアラに関連付けられたTFTを予め記憶しておいてもよい。
【００７３】
Default Bearerは、PDUセッションに対応づけられたデフォルトベアラを識別するEPSベアラ識別情報である。なお、EPSベアラとは、UE_A10とPGW_A30/UPGW_A130との間で確立する論理的な通信路でもよく、PDNコネクション/PDUセッションを構成する通信路でもよい。さらに、EPSベアラは、デフォルトベアラでもよく、デディケイテッドベアラでもよい。さらに、EPSベアラは、UE_A10とアクセスネットワーク内の基地局及び/又はアクセスポイントとの間で確立するRBを含んで構成されてよい。さらに、RBとEPSベアラとは1対1に対応づけられてよい。その為、RBの識別情報は、EPSベアラの識別情報と1対1に対応づけられてもよいし、同じ識別情報でもよい。なお、RBは、SRB及び/又はCRBでもよいし、DRBでもよい。また、Default Bearerは、PDUセッション確立時にUE_A10及び/又はSGW_A35及び/又はPGW_A30/UPGW_A130がコアネットワークから取得する情報でよい。なお、デフォルトベアラとは、PDNコネクション/PDUセッション中で最初に確立されるEPSベアラであり、1つのPDNコネクション/PDUセッション中に、1つしか確立することができないEPSベアラである。デフォルトベアラは、TFTに対応付けられていないユーザデータの通信に用いることができるEPSベアラであってもよい。また、デディケイテッドベアラとは、PDNコネクション/PDUセッション中でデフォルトベアラが確立された後に確立されるEPSベアラであり、1つのPDNコネクション/PDUセッション中に、複数確立することができるEPSベアラである。デディケイテッドベアラは、TFTに対応付けられたユーザデータの通信に用いることができるEPSベアラである。
【００７４】
User Identityは、加入者を識別する情報である。User Identityは、IMSIでもよいし、MSISDNでもよい。さらに、User Identityは、IMSI、MSISDN以外の識別情報でもよい。Serving Node Informationは、PDUセッションで用いられているMME_A40/CPF_A140を識別する情報であり、MME_A40/CPF_A140のIPアドレスでよい。
【００７５】
eNB Addressは、eNB_A45のIPアドレスである。eNB IDは、eNB_A45内でUEを識別する情報である。MME Addressは、MME_A40/CPF_A140のIPアドレスである。MME IDは、MME_A40/CPF_A140を識別する情報である。NR node Addressは、NR node_A122のIPアドレスである。NR node IDは、NR node_A122を識別する情報である。WAG Addressは、WAG_A126のIPアドレスである。WAG IDは、WAG_A126を識別する情報である。
【００７６】
以下、各装置の構成について説明する。なお、下記各装置及び各装置の各部の機能の一部又は全部は、物理的なハードウェアの上で動作するものでもよいし、仮想的に汎用的なハードウェア上に構成された論理的なハードウェア上動作するものでもよい。
【００７７】
[1.2.1.UEの構成]
図4にUE_A10の装置構成を示す。図に示すように、UE_A10は、送受信部_A420と制御部_A400と記憶部_A440とで構成されている。送受信部_A420と記憶部_A440は、制御部_A400とバスを介して接続されている。制御部_A400はUE_A10を制御する為の機能部である。制御部_A400は、記憶部_A440に記憶されている各種プログラムを読みだして実行する事により各種処理を実現する。
【００７８】
送受信部_A420は、UE_A10がアクセスネットワーク内の基地局及び/又はアクセスポイントに接続し、アクセスネットワークへ接続する為の機能部である。また、送受信部_A420には、外部アンテナ_A410が接続されている。言い換えると、送受信部_A420は、UE_A10がアクセスネットワーク内の基地局及び/又はアクセスポイントと接続する為の機能部である。さらに、送受信部_A420は、UE_A10が、アクセスネットワーク内の基地局及び/又はアクセスポイントから、ユーザデータ及び/又は制御情報を送受信する送受信機能部である。
【００７９】
記憶部_A440は、UE_A10の各動作に必要なプログラムやデータ等を記憶する機能部である。記憶部_A440は、例えば、半導体メモリや、HDD(Hard Disk Drive)等により構成されている。記憶部_A440は、少なくとも、後述する通信手続き内で送受信する制御メッセージに含まれる識別情報、及び/又は制御情報、及び/又はフラグ、及び/又はパラメータを記憶してもよい。記憶部_A440は、図に示すように、UEコンテキスト442を記憶する。以下、記憶部_A440で記憶される情報要素について説明する。なお、UEコンテキスト442は、コアネットワーク_B190に接続する際に用いるUEコンテキストと、コアネットワーク_B190に接続する際に用いるUEコンテキストとがあってもよい。さらに、コアネットワーク_B190に接続する際に用いるUEコンテキストと、コアネットワーク_B190に接続する際に用いるUEコンテキストとは、一緒に記憶されてもよいし、別々に記憶されてもよい。
【００８０】
まず、図5(b)にUEごとに記憶されるUEコンテキストに含まれる情報要素を示す。図に示すように、UEごとに記憶されるUEコンテキストは、IMSI、EMM State、GUTI、ME Identityを含む。次に、図5(c)にPDUセッション又はPDNコネクションごとに記憶されるPDUセッション又はPDNコネクションごとのUEコンテキストを示す。図に示すように、PDUセッションごとのUEコンテキストは、APN in Use、Assigned Session Type、IP Address(es)、Default Bearerを含む。
【００８１】
図5(d)は、UEの記憶部で記憶されるベアラごとのUEコンテキストを示す。図に示すように、ベアラごとのUEコンテキストは、EPS Bearer ID、TI、TFTを含む。
【００８２】
[1.2.2.eNB/NR node/WAGの構成]
以下、eNB_A45、NR node_A122、及びWAG_A126の構成について説明する。図6にeNB_A45、NR node_A122、及びWAG_A126の装置構成を示す。図に示すように、eNB_A45、NR node_A122、及びWAG_A126は、ネットワーク接続部_B620と送受信部_B630と制御部_B600と記憶部_B640で構成されている。ネットワーク接続部_B620と送受信部_B630と記憶部_B640は、制御部_B600とバスを介して接続されている。
【００８３】
制御部_B600はeNB_A45を制御する為の機能部である。制御部_B600は、記憶部_B640に記憶されている各種プログラムを読みだして実行する事により各種処理を実現する。
【００８４】
ネットワーク接続部_B620は、eNB_A45、NR node_A122、及びWAG_A126が、MME_A40及び/又はSGW_A35と接続する為の機能部である。さらに、ネットワーク接続部_B620は、eNB_A45、NR node_A122、及びWAG_A126が、MME_A40及び/又はSGW_A35から、ユーザデータ及び/又は制御情報を送受信する送受信部である。
【００８５】
送受信部_B630は、eNB_A45、NR node_A122、及びWAG_A126がUE_A10と接続する為の機能部である。さらに、送受信部_B630は、UE_A10からユーザデータ及び/又は制御情報を送受信する送受信機能部である。また、送受信部_B630には、外部アンテナ_B610が接続されている。
【００８６】
記憶部_B640は、eNB_A45、NR node_A122、及びWAG_A126の各動作に必要なプログラムやデータ等を記憶する機能部である。記憶部_B640は、例えば、半導体メモリや、HDD等により構成されている。記憶部_B640は、少なくとも、後述する通信手続き内で送受信する制御メッセージに含まれる識別情報及び/又は制御情報及び/又はフラグ及び/又はパラメータを記憶してもよい。記憶部_B640は、これらの情報をコンテキストとしてUE_A10毎に記憶してもよい。
【００８７】
[1.2.3.MME/CPFの構成]
以下、MME_A40及びCPF_140の構成について説明する。図7にMME_A40及びCPF_140の装置構成を示す。図に示すように、MME_A40及びCPF_140は、ネットワーク接続部_C720と制御部_C700と記憶部_C740で構成されている。ネットワーク接続部_C720と記憶部_C740は、制御部_C700とバスを介して接続されている。なお、これらの各部の機能は、物理的なハードウェア上で動作するものでもよいし、仮想的に汎用的なハードウェア上に構成された論理的なハードウェア上で動作するものでもよい。
【００８８】
制御部_C700はMME_A40及びCPF_140を制御する為の機能部である。制御部_C700は、記憶部_C740に記憶されている各種プログラムを読みだして実行する事により各種処理を実現する。
【００８９】
ネットワーク接続部_C720は、MME_A40が、アクセスネットワーク内の基地局、及び/又はアクセスネットワーク内のアクセスポイント、及び/又はSCEF_A46、及び/又はHSS_A50及び/又はSGW_A35と接続する為の機能部である。さらに、ネットワーク接続部_C720は、MME_A40が、アクセスネットワーク内の基地局、及び/又はアクセスネットワーク内のアクセスポイント、及び/又はSCEF_A46、及び/又はHSS_A50、及び/又はSGW_A35と、ユーザデータ及び/又は制御情報を送受信する送受信部である。
【００９０】
さらに、ネットワーク接続部_C720は、CPF_140が、アクセスネットワーク内の基地局、及び/又はアクセスネットワーク内のアクセスポイント、及び/又はSCEF_A46、及び/又はHSS_A50及び/又はUPGW_A130と接続する為の機能部である。さらに、ネットワーク接続部_C720は、MME_A40が、アクセスネットワーク内の基地局、及び/又はアクセスネットワーク内のアクセスポイント、及び/又はSCEF_A46、及び/又はHSS_A50、及び/又はUPGW_A130と、ユーザデータ及び/又は制御情報を送受信する送受信部である。
【００９１】
記憶部_C740は、MME_A40及びCPF_140の各動作に必要なプログラムや、データ等を記憶する機能部である。記憶部_C740は、例えば、半導体メモリやHDD等により構成されている。記憶部_C740は、少なくとも、後述する通信手続き内で送受信する制御メッセージに含まれる識別情報、及び/又は制御情報、及び/又はフラグ、及び/又はパラメータを記憶してもよい。
【００９２】
記憶部_C740は、図に示すように、MMEコンテキスト742を記憶する。以下、記憶部_C740で記憶される情報要素について説明する。なお、MMEコンテキストは、CPF_140が記憶コンテキストでもよい。まず、図8(b)にUEごとに記憶されるUEコンテキストに含まれる情報要素を示す。図に示すように、UEごとに記憶されるMMEコンテキストは、IMSI、MSISDN、MM State、GUTI、ME Identity、UE Radio Access Capability、UE Network Capability、MS Network Capability、Access Restriction、MME F-TEID、SGW F-TEID、eNB Address、MME UE S1AP ID、eNB UE S1AP ID、NR node Address、NR node ID、WAG Address、WAG IDのうち1又は複数を含む。
【００９３】
次に、図9(c)にPDUセッション又はPDNコネクションごとに記憶されるPDUセッション又はPDNコネクションごとのMMEコンテキストを示す。図に示すように、PDUセッションごとのMMEコンテキストは、APN in Use、Assigned Session Type、IP Address(es)、PGW F-TEID、SCEF ID、Default bearerを含む。
【００９４】
図9(d)は、ベアラごとに記憶されるベアラごとのMMEコンテキストを示す。図が示すように、ベアラごとに記憶されるMMEコンテキストは、EPS Bearer ID、TI、TFT、SGW F-TEID、PGW F-TEID、MME F-TEID、eNB Address、NR node Address、WAG Address、eNB ID、NR node ID、WAG IDのうち1又は複数を含む。ここで、図8と図9に示すMMEコンテキストに含まれる情報要素は、MMコンテキスト又はEPSベアラコンテキストのいずれかに含まれ、記憶されてもよい。
【００９５】
[1.2.4.SGWの構成]
図10にSGW_A35の装置構成を示す。図に示すように、SGW_A35はネットワーク接続部_D1020と制御部_D1000と記憶部_D1040とで構成されている。ネットワーク接続部_D1020と記憶部_D1040は、制御部_D1000とバスを介して接続されている。
【００９６】
制御部_D1000はSGW_A35を制御する為の機能部である。制御部_D1000は、記憶部_D1040に記憶されている各種プログラムを読みだして実行する事により各種処理を実現する。
【００９７】
ネットワーク接続部_D1020は、SGW_A35が、アクセスネットワーク内の基地局及び/又はアクセスポイント、及び/又はMME_A40、及び/又はPGW_A30、及び/又はSGSN_A42と接続する為の機能部である。さらに、ネットワーク接続部_D1020は、SGW_A35が、アクセスネットワーク内の基地局及び/又はアクセスポイント、及び/又はMME_A40、及び/又はPGW_A30、及び/又はSGSN_A42から、ユーザデータ及び/又は制御情報を送受信する送受信部である。
【００９８】
記憶部_D1040は、SGW_A35の各動作に必要なプログラムや、データ等を記憶する機能部である。記憶部_D1040は、例えば、半導体メモリやHDD等により構成されている。記憶部_D1040は、少なくとも、後述する通信手続き内で送受信する制御メッセージに含まれる識別情報、及び/又は制御情報、及び/又はフラグ、及び/又はパラメータを記憶してもよい。
【００９９】
記憶部_D1040は、図に示すように、EPSベアラコンテキスト1042を記憶する。なお、EPSベアラコンテキスト1042の中には、UEごとに記憶されるものと、PDUセッションごとに記憶されるものと、ベアラごとに記憶されるものが含まれる。
【０１００】
まず、図11(b)にUEごとに記憶されるEPSベアラコンテキストの情報要素を示す。図に示すように、UEごとに記憶されるEPSベアラコンテキストは、IMSI、ME Identity、MSISDN、MME F-TEID、SGW F-TEIDを含む。
【０１０１】
さらに、EPSベアラコンテキストには、PDUセッションごとに記憶されるPDUセッションごとのEPSベアラコンテキストが含まれる。図11(c)に、PDUセッションごとのEPSベアラコンテキストを示す。図に示すように、PDUセッションごとのEPSベアラコンテキストは、APN in Use、Assigned Session Type、SGW F-TEID、PGW F-TEID、Default Bearer、IP Address(es)を含む。
【０１０２】
さらに、EPSベアラコンテキストには、ベアラごとのEPSベアラコンテキストが含まれる。図11(d)は、ベアラごとのEPSベアラコンテキストを示す。図に示すように、ベアラごとのEPSベアラコンテキストは、EPS Bearer ID、TFT、PGW F-TEID、SGW F-TEID、eNB F-TEID、MME Address、NR node Address、WAG Address、MME ID、NR node ID、WAG IDのうち1又は複数を含む。
【０１０３】
[1.2.5.PGW/UPGWの構成]
図10にPGW_A30及びUPGW_A130の装置構成を示す。図に示すように、PGW_A30及びUPGW_A130はネットワーク接続部_D1020と制御部_D1000と記憶部_D1040とで構成されている。ネットワーク接続部_D1020と記憶部_D1040は、制御部_D1000とバスを介して接続されている。なお、これらの各部の機能は、物理的なハードウェア上で動作するものでもよいし、仮想的に汎用的なハードウェア上に構成された論理的なハードウェア上で動作するものでもよい。
【０１０４】
制御部_D1000はPGW_A30を制御する為の機能部である。制御部_D1000は、記憶部_D1040に記憶されている各種プログラムを読みだして実行する事により各種処理を実現する。
【０１０５】
ネットワーク接続部_D1020は、PGW_A30が、SGW_A35、及び/又はPCRF_A60、及び/又はePDG_A65、及び/又はAAA_A55、及び/又はTWAG_A74、及び/又はPDN_A5と接続する為の機能部である。また、ネットワーク接続部_D1020は、PGW_A30が、SGW_A35、及び/又はPCRF_A60、及び/又はePDG_A65、及び/又はAAA_A55、及び/又はTWAG_A74、及び/又はPDN_A5から、ユーザデータ及び/又は制御情報を送受信する送受信部である。
【０１０６】
さらに、ネットワーク接続部_D1020は、UPGW_A130が、PCRF_A60、及び/又はUPGW_A130、及び/又はPDN_A5と接続する為の機能部である。また、ネットワーク接続部_D1020は、PGW_A30が、SGW_A35、及び/又はPCRF_A60、及び/又はePDG_A65、及び/又はAAA_A55、及び/又はTWAG_A74、及び/又はPDN_A5から、ユーザデータ及び/又は制御情報を送受信する送受信部である。
【０１０７】
記憶部_D1040は、PGW_A30の各動作に必要なプログラムやデータ等を記憶する機能部である。記憶部_D1040は、例えば、半導体メモリやHDD等により構成されている。記憶部_D1040は、少なくとも、後述する通信手続き内で送受信する制御メッセージに含まれる識別情報、及び/又は制御情報、及び/又はフラグ、及び/又はパラメータを記憶してもよい。
【０１０８】
記憶部_D1040は、図に示すように、EPSベアラコンテキスト1042を記憶する。なお、EPSベアラコンテキスト1042の中には、UEごとに記憶されるものと、APNごとに記憶されるものと、PDUセッション又はPDNコネクションごとに記憶されるものと、ベアラごとに記憶されるものとが分かれて記憶されてもよい。さらに、EPSベアラコンテキストは、UPGW_A130に記憶されるコンテキストであってもよい。
【０１０９】
図12(b)は、UEごとに記憶されるEPSベアラコンテキストに含まれる情報要素を示す。図に示すように、UEごとに記憶されるEPSベアラコンテキストは、IMSI、ME Identity、MSISDN、RAT typeを含む。
【０１１０】
次に、図12(c)にAPNごとに記憶されるEPSベアラコンテキストを示す。図に示すように、PGW記憶部のAPNごとに記憶されるEPSベアラコンテキストは、APN in useを含む。なお、APNごとに記憶されるEPSベアラコンテキストは、Data Network Identifierごとに記憶されてもよい。
【０１１１】
また、図12(d)にPDUセッション又はPDNコネクションごとに記憶されるPDUセッション又はPDNコネクションごとのEPSベアラコンテキストを示す。図に示すように、PDUセッション又はPDNコネクションごとのEPSベアラコンテキストは、Assigned Session Type、IP Address(es)、SGW F-TEID、PGW F-TEID、Default Bearerを含む。
【０１１２】
さらに、図12(e)に、EPSベアラごとに記憶されるEPSベアラコンテキストを示す。図に示すように、EPSベアラコンテキストは、EPS Bearer ID、TFT、SGW F-TEID、PGW F-TEIDを含む。
【０１１３】
[1.2.6.SCEFの構成]
図10にSCEF_A46の装置構成を示す。図に示すように、SCEF_A46は、ネットワーク接続部_D1020と制御部_D1000と記憶部_D1040で構成されている。ネットワーク接続部_D1020と記憶部_D1040は、制御部_D1000とバスを介して接続されている。
【０１１４】
制御部_D1000はSCEF_A46を制御する為の機能部である。制御部_D1000は、記憶部_D1040に記憶されている各種プログラムを読みだして実行する事により各種処理を実現する。ネットワーク接続部_D1020は、SCEF_A46がコアネットワーク_B190へ接続する為の機能部である。言い換えると、ネットワーク接続部_D1020は、SCEF_A46がMME_A40と接続する為の機能部である。さらに、ネットワーク接続部_D1020は、SCEF_A46が、MME_A40からユーザデータ及び/又は制御情報を送受信する送受信部である。
【０１１５】
記憶部_D1040は、SCEF_A46の各動作に必要なプログラムやデータ等を記憶する機能部である。記憶部_D1040は、例えば、半導体メモリやHDD等により構成されている。記憶部_D1040は、少なくとも、後述する通信手続き内で送受信する制御メッセージに含まれる識別情報、及び/又は制御情報、及び/又はフラグ、及び/又はパラメータを記憶してもよい。
【０１１６】
記憶部_D1040は、図に示すように、EPSベアラコンテキスト1042を記憶する。以下、記憶部_D1040で記憶される情報要素について説明する。図13(b)にEPSベアラコンテキストに含まれる情報要素を示す。図に示すように、EPSベアラコンテキストは、User Identity、APN in Use、EPS Bearer ID、Serving Node Informationを含む。
【０１１７】
[1.3.初期手続きの説明]
次に、本実施形態における初期手続きの詳細手順を説明する前に、重複説明を避ける為、本実施形態特有の用語や、各手続きに用いる主要な識別情報を予め説明する。
【０１１８】
本実施形態において、ネットワークは、アクセスネットワーク、及び/又は、コアネットワーク_B190、及び/又はPDN_A5のことである。また、ネットワークは、アクセスネットワーク、及び/又は、コアネットワーク_B190、及び/又はPDN_A5に含まれる、いずれかの装置を示してもよい。つまり、ネットワークが、メッセージの送受信及び/又は手続きを実行するということは、ネットワーク内の装置がメッセージの送受信及び/又は手続きを実行することを意味する。
【０１１９】
本実施形態におけるトラッキングエリアは、コアネットワークが管理する、UE_A10の位置情報で表すことが可能な単数又は複数の範囲である。トラッキングエリアは、複数のセルで構成されもよい。さらに、トラッキングエリアは、ページング等の制御メッセージがブロードキャストされる範囲でもよいし、UE_A10がハンドオーバー手続きをせずに移動できる範囲でもよい。さらに、トラッキングエリアは、ルーティングエリアでもよいし、ロケーションエリアでもよいし、これらと同様のものであればよい。以下、トラッキングエリアはTA(Tracking Area)であってもよい。
【０１２０】
本実施形態におけるTAリストは、ネットワークがUE_A10に割り当てた一又は複数のTAが含まれるリストである。なお、UE_A10は、TAリストに含まれる一又は複数のTA内を移動している間は、トラッキングエリア更新手続きを実行することなく移動することができてよい。言い換えると、UE_A10は、TAリストは、UE_A10がトラッキングエリア更新手続きを実行することなく移動できるエリアを示す情報群であってよい。
【０１２１】
本実施形態におけるUE_A10のTAを跨いだモビリティとは、UE_A10が現在接続しているTAとは異なるTAに移動することを示す。言い換えると、UE_A10のTAを跨いだモビリティは、UE_A10が現在接続しているTAとは異なるTAに侵入したことをであってよい。なお、UE_A10が現在接続しているTAとは異なるTAは、UE_A10が現在保持しているTAリストに含まれないTAであってよい。さらに、UE_A10のTAを跨いだモビリティには、UE_A10が現在接続しているTAとは異なるTAに侵入したことに基づいて、位置情報を再登録すること、及び/又は確立している通信路を切り替えることでセッション継続(Session Continuity)、及び/又はサービス継続(Service Continuity)を実施することが含まれてもよい。
【０１２２】
本実施形態における第1のタイマーは、サスペンドされたPDUセッションの有効期限を示すためのタイマーである。各装置は、第1のタイマーの満了に基づいて、サスペンドされたPDUセッションを切断してもよい。
【０１２３】
なお、第1のタイマーが開始されるタイミングは、PDUセッションがサスペンドされた時であってよく、UE_A10が新たなTAに侵入した時であってよく、UE_A10が新たなTAに侵入したことで実施されるトラッキングエリア更新手続きが完了した時であってよい。
【０１２４】
また、第1のタイマーが実行された状態で、UE_A10が以前に接続していたTAに戻った場合や、UE_A10が以前に接続していたTAに戻ったことで実行されたトラッキングエリア更新手続きが完了した場合、サスペンドされたPDUセッションはレジュームされてもよい。また、この場合、第1のタイマーの実行は停止されてもよく、第1のタイマーはリセットされてもよい。なお、UE_A10が以前に接続していたTAは、PDUセッションがサスペンドされる前に、UE_A10が保持していたTAリストに含まれていたTAであってよい。
【０１２５】
本実施形態における第1のタイプのPDUセッションは、UE_A10のTAを跨いだモビリティの際に切断されるPDUセッションである。言い換えると、第1のタイプのPDUセッションは、セッション継続が実施されないPDUセッションであってよい。さらに、第1のタイプのPDUセッションは、UE_A10のTAを跨いだモビリティの際に切断されるベアラで構成されていてもよい。
【０１２６】
なお、第1のタイプのPDUセッションの切断は、UE_A10の異なるTAへの侵入に基づいて実施されてもよいし、UE_A10が異なるTAに侵入した後に実施されるトラッキングエリア更新手続きの実行に基づいて実施されてもよいし、トラッキングエリア更新手続き後に実施される別手続きの実行に基づいて実施されてもよい。なお、第1のタイプのPDUセッションが切断されるタイミングはこれに限らない。
【０１２７】
なお、PDUセッションの切断は、各装置が、各装置間で制御メッセージを送受信することなく個別に実施してもよいし、PDUセッション、及び/又はベアラを切断するための手続き、及び/又は各コンテキストを解放するための手続きを実施することで実現してもよい。
【０１２８】
また、本実施形態で、PDUセッションが切断されると表現した場合、PDUセッションに対応付けられたベアラが切断されることを意味してもよく、さらに、PDUセッション、及び/又はベアラに対応付けられたコンテキストが解放されることを意味してもよい。
【０１２９】
本実施形態における第2のタイプのPDUセッションは、UE_A10のTAを跨いだモビリティの際にサスペンド又はレジュームされるPDUセッションである。言い換えると、第2のタイプのPDUセッションは、セッション継続(Session Continuity)は実施されないが、元のTAに戻って来た等の条件下において、以前の状態に復帰することができるPDUセッションであってよい。さらに、第2のタイプのPDUセッションは、UE_A10のTAを跨いだモビリティの際にサスペンド又はレジュームされるベアラで構成されていてもよい。
【０１３０】
なお、第2のタイプのPDUセッションのサスペンド、及び/又はレジュームは、UE_A10の異なるTAへの侵入に基づいて実施されてもよいし、UE_A10が異なるTAに侵入した後に実施されるトラッキングエリア更新手続きの実行に基づいて実施されてもよいし、トラッキングエリア更新手続き後に実施される別手続きの実行に基づいて実施されてもよい。なお、第2のタイプのPDUセッションがサスペンド又はレジュームされるタイミングはこれに限らない。
【０１３１】
さらに、第2のタイプのPDUセッションは、第1のタイマーの満了に基づいて切断されてもよい。言い換えると、各装置は、第2のタイプのPDUセッションがサスペンドされた状態において、第1のタイマーが満了した場合、サスペンドされたPDUセッションを切断してもよいし、サスペンドされたPDUセッションに関するコンテキストを解放してもよい。
【０１３２】
なお、PDUセッションのサスペンド及び/又はレジュームは、各装置が、各装置間で制御メッセージを送受信することなく個別に実施してもよいし、PDUセッション、及び/又はベアラをサスペンドするための手続き又はレジュームするための手続きを実施することで実現してもよい。
【０１３３】
また、本実施形態で、PDUセッションがサスペンドされると表現した場合、PDUセッションに対応付けられたベアラがサスペンドされることを意味してもよく、さらに、PDUセッション、及び/又はベアラに対応付けられたコンテキストが維持されつつ、PDUセッション、及び/又はベアラを用いたユーザデータの送受信ができない状態に遷移することを意味してもよい。
【０１３４】
また、本実施形態で、PDUセッションがレジュームされると表現した場合、PDUセッションに対応付けられたベアラがレジュームされることを意味してもよく、さらに、維持しておいたPDUセッション、及び/又はベアラに対応付けられたコンテキストを用いて、PDUセッション、及び/又はベアラを用いたユーザデータの送受信ができる状態に遷移することを意味してもよい。
【０１３５】
本実施形態におけるデフォルトのタイプのPDUセッションは、各装置が、PDUセッション確立手続きにおいて、確立されるPDUセッションの種類が示された識別情報を送受信しなかった場合に確立されるPDUセッションである。デフォルトのタイプのPDUセッションの種類は、UEポリシーやオペレータポリシー等のポリシーで決定されていてもよいし、予めUE_A10に設定されていてもよい。さらに、デフォルトのタイプのPDUセッションは、第1のPDUセッションであってよいし、第2のPDUセッションであってもよいし、第3のPDUセッションであってもよい。なお、デフォルトのタイプのPDUセッションの決定はこれに限らない。
【０１３６】
本実施形態におけるデフォルトのタイプのPDUセッションは、各装置が、PDUセッションを確立する手続きにおいて、確立されるPDUセッションの種類が示された識別情報を送受信しなかった場合に確立されるPDUセッションである。デフォルトのタイプのPDUセッションの種類は、UEポリシーやオペレータポリシー等のポリシーで決定されていてもよいし、予めUE_A10に設定されていてもよい。さらに、デフォルトのタイプのPDUセッションは、第1のPDUセッションであってよいし、第2のPDUセッションであってもよいし、第3のPDUセッションであってもよい。なお、デフォルトのタイプのPDUセッションの決定はこれに限らない。
【０１３７】
本実施形態における第1の状態は、UE_A10のコアネットワーク_B190への接続及び登録ための手続きが完了していて、さらに、各装置がPDUセッションを確立している状態である。なお、各装置は、UE_A10をコアネットワーク_B190に登録するための手続きと、PDUセッションを確立するための手続きは、同時に実行されてもよいし、別々に実行されてもよい。
【０１３８】
さらに、本実施形態における第1の状態は、各装置が、コアネットワーク_B190に対してPDUセッションを確立している状態でもよい。より詳細には、第1の状態は、各装置が、NR node_A122を介して、UE_A10とUPGW_A130との間でPDUセッションを確立している状態でもよい。
【０１３９】
さらに、第1の状態は、UE_A10のTAを跨いだモビリティが行われた状態であってもよく、UE_A10のTAを跨いだモビリティによって、確立しているPDUセッション、及び/又はベアラが、セッション継続された状態又はレジュームされた状態であってもよい。  なお、第1の状態は、これらの状態に限らない。
【０１４０】
本実施形態における第2の状態は、UE_A10の位置登録情報を更新するためのトラッキングエリア更新手続きが完了した状態でもよい。なお、トラッキングエリア更新手続きのトリガは、UE_A10の異なるトラッキングエリアへの侵入等であってよい。さらに、第2の状態は、各装置が、トラッキングエリア更新手続きの実行に基づいて、適切なPDUセッションのみを確立している状態でもよい。
【０１４１】
さらに、第2の状態は、UE_A10のTAを跨いだモビリティが行われた状態であってよく、UE_A10のTAを跨いだモビリティによって、確立しているPDUセッション、及び/又はベアラが、切断された状態又はサスペンドされた状態であってもよい。なお、第2の状態はこれに限らない。
【０１４２】
本実施形態におけるNSI(Network Slice Instance)とは、コアネットワーク_B190内に1又は複数構成される、ネットワークスライス(Network Slice)の実体である。また、本実施形態におけるNSIはNST(Network Slice Template)を用いて生成された仮想的なNF(Network Function)により構成されてもよい。ここで、NSTとは、要求される通信サービスや能力(capability)を提供する為のリソース要求に関連付けられ、1又は複数のNF(Network Function)の論理的表現である。
【０１４３】
つまり、NSIとは、複数のNFにより構成されたコアネットワーク_B190内の集合体でよい。また、NSIはサービス等によって配送されるユーザデータを分ける為に構成された論理的なネットワークでよい。ネットワークスライスには、少なくとも1つ以上のNFが構成されてよい。ネットワークスライスに構成されるNFは、他のネットワークスライスと共有される装置であってもよいし、そうでなくてもよい。
【０１４４】
UEは、UE usage type及び/又は、1又は複数のネットワークスライスタイプID及び/又は、1又は複数のNS ID等の登録情報及び/又はAPNに基づいて、1または複数のネットワークスライスに割り当てられることができる。
【０１４５】
次に、本実施形態における識別情報について説明する。本実施形態における第1の識別情報は、第1のタイプのPDUセッションをサポートすることを示すUE_A10の能力情報である。第1の識別情報は、UE_A10が第1のタイプのPDUセッションをサポートするか否かを示す情報であってもよい。
【０１４６】
本実施形態における第2の識別情報は、第2のタイプのPDUセッションをサポートすることを示すUE_A10の能力情報である。第2の識別情報は、UE_A10が第2のタイプのPDUセッションをサポートするか否かを示す情報であってもよい。
【０１４７】
本実施形態における第3の識別情報は、第3のタイプのPDUセッションをサポートすることを示すUE_A10の能力情報である。第3の識別情報は、UE_A10が第3のタイプのPDUセッションをサポートするか否かを示す情報であってもよい。
【０１４８】
本実施形態における第4の識別情報は、UE_A10が確立を要求するPDUセッションの種類を示す情報である。PDUセッションの種類としては、第1のタイプのPDUセッションと、第2のタイプのPDUセッションと、第3のタイプのPDUセッションとがあってよい。なお、PDUセッションの種類はこれに限らない。また、第4の識別情報は、第5から7の識別情報の1つ以上の識別情報で構成されてもよいし、第5から7の識別情報のように、各々独立した識別情報として構成されてもよい。
【０１４９】
及び/又は、第4の識別情報は、後述する第31の識別情報及び/又は第32の識別情報をトラッキングエリア更新手続きにおいて送信することをネットワークに要求する情報であってよい。さらに、第4の識別情報が指し示すPDUセッションの種類に対応する第33から第36の識別情報のいずれかの識別情報をトラッキングエリア更新手続きにおいて送信することをネットワークに要求する情報であってよい。
【０１５０】
さらに、第4の識別情報と、第4の識別情報が指し示す種類のPDUセッションの確立及び又は利用をサポートすることを示す能力情報は、単一の識別情報であってよい。言い換えると、第4の識別情報は、第1から第3の識別情報のいずれか一つの識別情報とは、それぞれの識別情報の意味を含む単一の識別情報であってもよい。したがって、本実施形態において、第4の識別情報が第1のタイプのPDUセッションの種類を示し、さらに、第4の識別情報及び第1の識別情報を送信する又は制御メッセージに含めると説明する場合、第4の識別情報と第1の識別情報は、2つの識別情報の意味を併せ持つ単一の識別情報として送信される又は制御メッセージに含まれてもよい。
【０１５１】
また、本実施形態において、第4の識別情報が第2のタイプのPDUセッションの種類を示し、さらに、第4の識別情報及び第2の識別情報を送信する又は制御メッセージに含めると説明する場合、第4の識別情報と第2の識別情報は、2つの識別情報の意味を併せ持つ単一の識別情報として送信される又は制御メッセージに含まれてもよい。
【０１５２】
また、本実施形態において、第4の識別情報が第3のタイプのPDUセッションの種類を示し、さらに、第4の識別情報及び第3の識別情報を送信する又は制御メッセージに含めると説明する場合、第4の識別情報と第3の識別情報は、2つの識別情報の意味を併せ持つ単一の識別情報として送信される又は制御メッセージに含まれてもよい。
【０１５３】
本実施形態における第5の識別情報は、第1のタイプのPDUセッションの確立、及び/又は使用を要求することを示すUE_A10の要求情報である。第5の識別情報は、UE_A10が第1のタイプのPDUセッションの確立、及び/又は使用を要求するか否かを示す情報であってもよい。
【０１５４】
及び/又は、第5の識別情報は、後述する第31の識別情報及び/又は第32の識別情報をトラッキングエリア更新手続きにおいて送信することをネットワークに要求する情報であってよい。さらに、第33の識別情報をトラッキングエリア更新手続きにおいて送信することをネットワークに要求する情報であってよい。
【０１５５】
なお、第5の識別情報と第1の識別情報はそれぞれの識別情報の意味を含む単一の識別情報であってもよい。したがって、本実施形態において、第5の識別情報及び第1の識別情報を送信する又は制御メッセージに含めると説明する場合、2つの識別情報は、それぞれの意味を併せ持つ単一の識別情報として送信される又は制御メッセージに含まれてもよい。
【０１５６】
本実施形態における第6の識別情報は、第2のタイプのPDUセッションの確立、及び/又は使用を要求することを示すUE_A10の要求情報である。第6の識別情報は、UE_A10が第2のタイプのPDUセッションの確立、及び/又は使用を要求するか否かを示す情報であってもよい。
【０１５７】
及び/又は、第6の識別情報は、後述する第31の識別情報及び/又は第32の識別情報をトラッキングエリア更新手続きにおいて送信することをネットワークに要求する情報であってよい。さらに、第34の識別情報又は第35の識別情報をトラッキングエリア更新手続きにおいて送信することをネットワークに要求する情報であってよい。
【０１５８】
なお、第6の識別情報と第2の識別情報はそれぞれの識別情報の意味を含む単一の識別情報であってもよい。したがって、本実施形態において、第6の識別情報及び第2の識別情報を送信する又は制御メッセージに含めると説明する場合、2つの識別情報は、それぞれの意味を併せ持つ単一の識別情報として送信される又は制御メッセージに含まれてもよい。
【０１５９】
本実施形態における第7の識別情報は、第3のタイプのPDUセッションの確立、及び/又は使用を要求することを示すUE_A10の要求情報である。第7の識別情報は、UE_A10が第3のタイプのPDUセッションの確立、及び/又は使用を要求するか否かを示す情報であってもよい。
【０１６０】
及び/又は、第7の識別情報は、後述する第31の識別情報及び/又は第32の識別情報をトラッキングエリア更新手続きにおいて送信することをネットワークに要求する情報であってよい。さらに、第36の識別情報をトラッキングエリア更新手続きにおいて送信することをネットワークに要求する情報であってよい。
【０１６１】
なお、第7の識別情報と第3の識別情報はそれぞれの識別情報の意味を含む単一の識別情報であってもよい。したがって、本実施形態において、第7の識別情報及び第3の識別情報を送信する又は制御メッセージに含めると説明する場合、2つの識別情報は、それぞれの意味を併せ持つ単一の識別情報として送信される又は制御メッセージに含まれてもよい。
【０１６２】
本実施形態における第11の識別情報は、第1のタイプのPDUセッションをサポートすることを示すネットワークの能力情報である。第11の識別情報は、ネットワークが第1のタイプのPDUセッションをサポートするか否かを示す情報であってもよい。なお、UE_A10は、第11の識別情報の受信に基づいて、第1のタイプのPDUセッションの確立、及び/又は使用が、受諾されたことを認識してもよいし、許可されたことを認識してもよい。
【０１６３】
本実施形態における第12の識別情報は、第2のタイプのPDUセッションをサポートすることを示すネットワークの能力情報である。第12の識別情報は、ネットワークが第2のタイプのPDUセッションをサポートするか否かを示す情報であってもよい。なお、UE_A10は、第12の識別情報の受信に基づいて、第2のタイプのPDUセッションの確立、及び/又は使用が、受諾されたことを認識してもよいし、許可されたことを認識してもよい。
【０１６４】
本実施形態における第13の識別情報は、第3のタイプのPDUセッションをサポートすることを示すネットワークの能力情報である。第13の識別情報は、ネットワークが第3のタイプのPDUセッションをサポートするか否かを示す情報であってもよい。なお、UE_A10は、第13の識別情報の受信に基づいて、第3のタイプのPDUセッションの確立、及び/又は使用が、受諾されたことを認識してもよいし、許可されたことを認識してもよい。
【０１６５】
本実施形態における第14の識別情報は、ネットワークが確立、及び/又は使用を受諾、及び/又は許可したPDUセッションの種類を示す情報である。第14の識別情報は、UE_A10が要求した種類のPDUセッションの確立、及び/又は使用をネットワークが受諾及び/又は許可したことを示す情報であってもよい。さらに、第14の識別情報は、UE_A10の要求をネットワークが受諾、及び/又は許可したことを示す情報であってもよい。なお、第14の識別情報は、第15から17の識別情報の1つ以上の識別情報で構成されてもよいし、第15から17の識別情報のように、各々独立した識別情報として構成されてもよい。
【０１６６】
及び/又は、第14の識別情報は、後述する第31の識別情報及び/又は第32の識別情報がトラッキングエリア更新手続きにおいてネットワークによって送信されることを示す情報であってよい。さらに、第14の識別情報が指し示すPDUセッションの種類に対応する第33から第36の識別情報のいずれかの識別情報がトラッキングエリア更新手続きにおいてネットワークによって送信されることを示す情報であってよい。
【０１６７】
さらに、第14の識別情報と、第14の識別情報が指し示す種類のPDUセッションの確立及び又は利用をサポートすることを示す能力情報は、単一の識別情報であってよい。言い換えると、第14の識別情報は、第11から第13の識別情報のいずれか一つの識別情報とは、それぞれの識別情報の意味を含む単一の識別情報であってもよい。したがって、本実施形態において、第14の識別情報が第1のタイプのPDUセッションの種類を示し、さらに、第14の識別情報及び第11の識別情報を送信する又は制御メッセージに含めると説明する場合、第14の識別情報と第11の識別情報は、2つの識別情報の意味を併せ持つ単一の識別情報として送信される又は制御メッセージに含まれてもよい。
【０１６８】
また、本実施形態において、第14の識別情報が第2のタイプのPDUセッションの種類を示し、さらに、第14の識別情報及び第12の識別情報を送信する又は制御メッセージに含めると説明する場合、第14の識別情報と第12の識別情報は、2つの識別情報の意味を併せ持つ単一の識別情報として送信される又は制御メッセージに含まれてもよい。
【０１６９】
また、本実施形態において、第14の識別情報が第3のタイプのPDUセッションの種類を示し、さらに、第14の識別情報及び第13の識別情報を送信する又は制御メッセージに含めると説明する場合、第14の識別情報と第13の識別情報は、2つの識別情報の意味を併せ持つ単一の識別情報として送信される又は制御メッセージに含まれてもよい。
【０１７０】
本実施形態における第15の識別情報は、第1のタイプのPDUセッションの確立、及び/又は使用の要求をネットワークが受諾、及び/又は許可したことを示す情報である。第15の識別情報は、ネットワークが第1のタイプのPDUセッションの確立、及び/又は使用を、受諾するか否かを示す情報であってもよいし、許可するか否かを示す情報であってもよい。
【０１７１】
及び/又は、第15の識別情報は、後述する第31の識別情報及び/又は第32の識別情報がトラッキングエリア更新手続きにおいてネットワークによって送信されることを示す情報であってよい。さらに、第15の識別情報は、第33の識別情報がトラッキングエリア更新手続きにおいてネットワークによって送信されることを示す情報であってよい。
【０１７２】
なお、第15の識別情報と第11の識別情報はそれぞれの識別情報の意味を含む単一の識別情報であってもよい。したがって、本実施形態において、第15の識別情報及び第11の識別情報を送信する又は制御メッセージに含めると説明する場合、2つの識別情報は、それぞれの意味を併せ持つ単一の識別情報として送信される又は制御メッセージに含まれてもよい。
【０１７３】
本実施形態における第16の識別情報は、第2のタイプのPDUセッションの確立、及び/又は使用の要求をネットワークが受諾、及び/又は許可したことを示す情報である。第16の識別情報は、ネットワークが第2のタイプのPDUセッションの確立、及び/又は使用を、受諾するか否かを示す情報であってもよいし、許可するか否かを示す情報であってもよい。
【０１７４】
及び/又は、第16の識別情報は、後述する第31の識別情報及び/又は第32の識別情報がトラッキングエリア更新手続きにおいてネットワークによって送信されることを示す情報であってよい。さらに、第16の識別情報は、第34の識別情報又は第35の識別情報がトラッキングエリア更新手続きにおいてネットワークによって送信されることを示す情報であってよい。
【０１７５】
なお、第16の識別情報と第12の識別情報はそれぞれの識別情報の意味を含む単一の識別情報であってもよい。したがって、本実施形態において、第16の識別情報及び第12の識別情報を送信する又は制御メッセージに含めると説明する場合、2つの識別情報は、それぞれの意味を併せ持つ単一の識別情報として送信される又は制御メッセージに含まれてもよい。
【０１７６】
本実施形態における第17の識別情報は、第3のタイプのPDUセッションの確立、及び/又は使用の要求をネットワークが受諾、及び/又は許可したことを示す情報である。第17の識別情報は、ネットワークが第3のタイプのPDUセッションの確立、及び/又は使用を、受諾するか否かを示す情報であってもよいし、許可するか否かを示す情報であってもよい。
【０１７７】
及び/又は、第17の識別情報は、後述する第31の識別情報及び/又は第32の識別情報がトラッキングエリア更新手続きにおいてネットワークによって送信されることを示す情報であってよい。さらに、第17の識別情報は、第36の識別情報がトラッキングエリア更新手続きにおいてネットワークによって送信されることを示す情報であってよい。
【０１７８】
なお、第17の識別情報と第13の識別情報はそれぞれの識別情報の意味を含む単一の識別情報であってもよい。したがって、本実施形態において、第17の識別情報及び第13の識別情報を送信する又は制御メッセージに含めると説明する場合、2つの識別情報は、それぞれの意味を併せ持つ単一の識別情報として送信される又は制御メッセージに含まれてもよい。
【０１７９】
本実施形態における第18の識別情報は、UE_A10の要求が拒絶されたことを示す理由情報である。第18の識別情報は、UE_A10が現在属しているTAで、UE_A10の要求が、受諾されないことを示す情報であってもよいし、許可されないことを示す理由情報であってもよい。なお、UE_A10の要求は、第1のタイプのPDUセッションの確立、及び/又は使用であってもよいし、第2のタイプのPDUセッションの確立、及び/又は使用であってもよいし、第3のタイプのPDUセッションの確立、及び/又は使用であってもよい。
【０１８０】
さらに、第18の識別情報は、拒絶メッセージ受信後に、UE_A10がすべき処理を示す情報であってもよい。第18の識別情報は、例えば、異なるTAで、同じ識別情報を用いて同じ手続きを再実施すべきことを示してもよいし、同じTAで、異なる識別情報を用いて同じ手続きを再実施すべきことを示してもよいし、異なる手続きを実施すべきことを示してもよい。なお、ここでの手続きとは、アタッチ手続きであってもよいし、PDUセッション確立手続きであってもよいし、トラッキングエリア更新手続きであってもよいし、PDUセッション切断手続きであってもよいし、デタッチ手続きであってもよい。
【０１８１】
さらに、第18の識別情報は、ネットワークが確立、及び/又は使用を拒絶したPDUセッションの種類を示す情報であってもよい。
【０１８２】
本実施形態における第21の識別情報は、UE_A10が最後に登録されていたTAを識別情報する情報である。第21の識別情報は、最後に接続していたTAを示す情報であってもよい。さらに、第21の識別情報は、UE_A10が現在接続しているTAと、過去に接続していたTAとが、同じことを示す情報であってもよいし、異なることを示す情報であってもよい。
【０１８３】
本実施形態における第22の識別情報は、確立しているPDUセッションの状態を示す情報である。なお、PDUセッションの状態は、PDUセッションが、アクティブ化されているか否かを示す情報であってもよいし、サスペンドされているか否かを示す情報であってもよい。さらに、第22の識別情報は、PDUセッションを識別する情報や、EPSベアラを識別する情報と対応付けられてもよい。
【０１８４】
本実施形態における第31の識別情報は、ネットワークがUE_A10に割り当てたTAリストを示す情報である。第31の識別情報は、UE_A10が登録されているTAを含んでよいし、UE_A10が現在接続しているTAを含んでもよい。また、第31の識別情報は、第33から36の識別情報と対応付けられてもよい。
【０１８５】
さらに、第31の識別情報は、UE_A10が確立しているPDUセッションを切断、及び/又はサスペンド、及び/又はレジュームすることなく移動できるエリアを示す情報群であってもよい。言い換えると、UE_A10は、第31の識別情報で示されるエリア以外のTAに侵入した場合は、確立しているPDUセッションを、切断してもよいし、サスペンドしてもよいし、レジュームしてもよい。
【０１８６】
本実施形態における第32の識別情報は、ネットワークが決定した第1のタイマーの値を示す情報である。第32の識別情報は、本トラッキングエリア更新後に第1のタイマーが開始されることを示す情報であってもよいし、確立しているPDUセッションのサスペンドに基づいて第1のタイマーをされることを示す情報であってもよい。なお、第1のタイマーの値とは、第1のタイマーの実行が開始してから満了するまでの時間を示す値であってよい。
【０１８７】
本実施形態における第33の識別情報は、本トラッキングエリア更新手続きの直前又は最中又は直後に、切断されるPDUセッション、及び/又はEPSベアラを示す情報である。また、第33の識別情報は、UE_A10が第31の識別情報で示されるTA以外のTAへの侵入に基づいて切断されるPDUセッション、及び/又はEPSベアラを示す情報であってもよい。言い換えると、第33の識別情報は、UE_A10のTAを跨いだモビリティに基づいて切断されるPDUセッション、及び/又はEPSベアラを示す情報であってもよい。なお、第33の識別情報には、一又は複数のPDUセッション、及び/又はEPSベアラを示す情報が含まれていてもよい。
【０１８８】
なお、切断されるPDUセッション、及び/又はEPSベアラを示す情報とは、切断されるPDUセッション、及び/又はEPSベアラに対応づけられた、DNを示す情報であってもよいし、ネットワークスライスの種類を示す情報であってもよい。なお、DNを示す情報はDNN(Data Network Name)であってもよく、ネットワークスライスの種類を示す情報はネットワークスライスタイプであってもよい。
【０１８９】
言い換えると、第33の識別情報は、UE_A10が侵入した先のTAで、切断されるPDUセッションに対応づけられたDNを示す情報であってもよいし、切断されるPDUセッションに対応づけられたスライスの種類を示す情報であってもよい。さらに言い換えると、第33の識別情報は、特定のDNを示す情報であってもよいし、特定のDNに対応づけられたPDUセッション、及び/又はEPSベアラが切断されることを示す情報であってもよい。さらに、第33の識別情報は、特定のスライスの種類を示す情報であってもよいし、特定のスライスの種類を示す情報に対応づけられたPDUセッション、及び/又はEPSベアラが切断されることを示す情報であってもよい。
【０１９０】
なお、各装置は、第33の識別情報を受信した場合、第33の識別情報で示されるDNに対応づけられたPDUセッション、及び/又はEPSベアラを切断してもよいし、第33の識別情報で示されるスライスタイプに対応づけられたPDUセッション、及び/又はEPSベアラを切断してもよい。
【０１９１】
本実施形態における第34の識別情報は、本トラッキングエリア更新手続きの直前又は最中又は直後に、サスペンドされるPDUセッション、及び/又はEPSベアラを示す情報である。また、第34の識別情報は、UE_A10が第31の識別情報で示されるTA以外のTAへの侵入に基づいてサスペンドされるPDUセッション、及び/又はEPSベアラを示す情報であってもよい。言い換えると、第34の識別情報は、UE_A10のTAを跨いだモビリティに基づいてサスペンドされるPDUセッション、及び/又はEPSベアラを示す情報であってもよい。なお、第34の識別情報には、一又は複数のPDUセッション、及び/又はEPSベアラを示す情報が含まれていてもよい。
【０１９２】
なお、サスペンドされるPDUセッション、及び/又はEPSベアラを示す情報とは、サスペンドされるPDUセッション、及び/又はEPSベアラに対応づけられた、DNを示す情報であってもよいし、ネットワークスライスの種類を示す情報であってもよい。なお、DNを示す情報はDNNであってもよく、ネットワークスライスの種類を示す情報はネットワークスライスタイプであってもよい。
【０１９３】
言い換えると、第34の識別情報は、UE_A10が侵入した先のTAで、サスペンドされるPDUセッションに対応づけられたDNを示す情報であってもよいし、サスペンドされるPDUセッションに対応づけられたスライスの種類を示す情報であってもよい。さらに言い換えると、第34の識別情報は、特定のDNを示す情報であってもよいし、特定のDNに対応づけられたPDUセッション、及び/又はEPSベアラがサスペンドされることを示す情報であってもよい。さらに、第34の識別情報は、特定のスライスの種類を示す情報であってもよいし、特定のスライスの種類を示す情報に対応づけられたPDUセッション、及び/又はEPSベアラがサスペンドされることを示す情報であってもよい。
【０１９４】
なお、各装置は、第34の識別情報を受信した場合、第34の識別情報で示されるDNに対応づけられたPDUセッション、及び/又はEPSベアラをサスペンドしてもよいし、第34の識別情報で示されるスライスタイプに対応づけられたPDUセッション、及び/又はEPSベアラをサスペンドしてもよい。
【０１９５】
本実施形態における第35の識別情報は、本トラッキングエリア更新手続きの直前又は最中又は直後に、レジュームされるPDUセッション、及び/又はEPSベアラを示す情報である。また、第35の識別情報は、UE_A10が第31の識別情報で示されるTA以外のTAへの侵入に基づいてレジュームされるPDUセッション、及び/又はEPSベアラを示す情報であってもよい。言い換えると、第35の識別情報は、UE_A10のTAを跨いだモビリティに基づいてレジュームされるPDUセッション、及び/又はEPSベアラを示す情報であってもよい。なお、第35の識別情報には、一又は複数のPDUセッション、及び/又はEPSベアラを示す情報が含まれていてもよい。
【０１９６】
なお、レジュームされるPDUセッション、及び/又はEPSベアラを示す情報とは、レジュームされるPDUセッション、及び/又はEPSベアラに対応づけられた、DNを示す情報であってもよいし、ネットワークスライスの種類を示す情報であってもよい。なお、DNを示す情報はDNNであってもよく、ネットワークスライスの種類を示す情報はネットワークスライスタイプであってもよい。
【０１９７】
言い換えると、第35の識別情報は、UE_A10が侵入した先のTAで、レジュームされるPDUセッションに対応づけられたDNを示す情報であってもよいし、レジュームされるPDUセッションに対応づけられたスライスの種類を示す情報であってもよい。さらに言い換えると、第35の識別情報は、特定のDNを示す情報であってもよいし、特定のDNに対応づけられたPDUセッション、及び/又はEPSベアラがレジュームされることを示す情報であってもよい。さらに、第35の識別情報は、特定のスライスの種類を示す情報であってもよいし、特定のスライスの種類を示す情報に対応づけられたPDUセッション、及び/又はEPSベアラがレジュームされることを示す情報であってもよい。
【０１９８】
なお、各装置は、第35の識別情報を受信した場合、第35の識別情報で示されるDNに対応づけられたPDUセッション、及び/又はEPSベアラをレジュームしてもよいし、第35の識別情報で示されるスライスタイプに対応づけられたPDUセッション、及び/又はEPSベアラをレジュームしてもよい。
【０１９９】
本実施形態における第36の識別情報は、本トラッキングエリア更新手続きの直前又は最中又は直後に、セッション継続が実施されるPDUセッション、及び/又はEPSベアラを示す情報である。また、第36の識別情報は、UE_A10が第31の識別情報で示されるTA以外のTAへの侵入に基づいてセッション継続が実施されるPDUセッション、及び/又はEPSベアラを示す情報であってもよい。言い換えると、第36の識別情報は、UE_A10のTAを跨いだモビリティに基づいてセッション継続が実施されるPDUセッション、及び/又はEPSベアラを示す情報であってもよい。なお、第36の識別情報には、一又は複数のPDUセッション、及び/又はEPSベアラを示す情報が含まれていてもよい。
【０２００】
なお、セッション継続が実施されるPDUセッション、及び/又はEPSベアラを示す情報とは、セッション継続が実施されるPDUセッション、及び/又はEPSベアラに対応づけられた、DNを示す情報であってもよいし、ネットワークスライスの種類を示す情報であってもよい。なお、DNを示す情報はDNNであってもよく、ネットワークスライスの種類を示す情報はネットワークスライスタイプであってもよい。
【０２０１】
言い換えると、第36の識別情報は、UE_A10が侵入した先のTAで、セッション継続が実施されるPDUセッションに対応づけられたDNを示す情報であってもよいし、セッション継続が実施されるPDUセッションに対応づけられたスライスの種類を示す情報であってもよい。さらに言い換えると、第36の識別情報は、特定のDNを示す情報であってもよいし、特定のDNに対応づけられたPDUセッション、及び/又はEPSベアラに対してセッション継続が実施されることを示す情報であってもよい。さらに、第36の識別情報は、特定のスライスの種類を示す情報であってもよいし、特定のスライスの種類を示す情報に対応づけられたPDUセッション、及び/又はEPSベアラに対してセッション継続が実施されることを示す情報であってもよい。
【０２０２】
なお、各装置は、第36の識別情報を受信した場合、第36の識別情報で示されるDNに対応づけられたPDUセッション、及び/又はEPSベアラに対してセッション継続を実施してもよいし、第36の識別情報で示されるスライスタイプに対応づけられたPDUセッション、及び/又はEPSベアラに対してセッション継続を実施してもよい。
【０２０３】
次に、本実施形態において、初期手続きを図14を用いて説明する。本実施形態では、各装置は初期手続きを実行することで、第1の状態に遷移し、UE_A10がコアネットワーク_B190を介したセッションを確立する。以下、本手続きは初期手続きを指し、各手続きには、アタッチ手続き、PDN接続手続きがある。各手続きの詳細は、後述する。
【０２０４】
本手続きにおいて、各装置は、まず、アタッチ手続き(S1400)を実行し、UE_A10がネットワークに接続した状態に遷移する。次に、各装置は、PDUセッション確立手続き(S1402)を実行し、第1の状態に遷移する(S1404)。なお、各装置は、アタッチ手続き及び/又はPDUセッション確立手続きにおいて、各装置の各種能力情報及び/又は各種要求情報を交換してもよい。
【０２０５】
なお、各装置は、各種情報の交換及び/又は各種要求の交渉をアタッチ手続きで実施した場合、各種情報の交換及び/又は各種要求の交渉をPDUセッション確立手続きで実施しなくてもよい。逆に、各装置は、各種情報の交換及び/又は各種要求の交渉をアタッチ手続きで実施しなかった場合、各種情報の交換及び/又は各種要求の交渉をPDUセッション確立手続きで実施してもよい。これに限らず、各装置は、各種情報の交換及び/又は各種要求の交渉をアタッチ手続きで実施した場合でも、各種情報の交換及び/又は各種要求の交渉をPDUセッション確立手続きで実施してもよい。
【０２０６】
例えば、UE_A10及びコアネットワーク＿B190は、第1から7の識別情報及び第21の識別情報のうち1つ以上の識別情報、及び/又は第11から17の識別情報及び第31から32の識別情報のうち1つ以上の識別情報の交換を、アタッチ手続き及びPDUセッション確立手続きで実施してもよい。さらに、UE_A10及びコアネットワーク＿B190は、上記の交換を、アタッチ手続きで実施せず、PDUセッション確立手続きでのみ実施してもよいし、PDUセッション確立手続きで実施せず、アタッチ手続きでのみ実施してもよいし、
また、UE_A10及びコアネットワーク＿B190は、第1から7の識別情報のうち1つ以上の識別情報、及び/又は第11から17の識別情報のうち1つ以上の識別情報のうち、アタッチ手続きで交換しなかったものをPDUセッション確立手続きで交換してもよい。なお、各装置は、これらの識別情報をUE_A10と対応づけて管理する場合、アタッチ手続き中に送受信してもよく、PDUセッション及び/又はEPSベアラと対応づけて管理する場合、PDUセッション確立手続き中に送受信してもよい。
【０２０７】
また、各装置は、PDUセッション確立手続きを、アタッチ手続きの中で実行してもよく、アタッチ手続きの完了後に実行してもよい。なお、PDUセッション確立手続きがアタッチ手続きの中で実行された場合、各装置は、アタッチ手続きの完了に基づいてPDUセッションを確立してもよいし、第1の状態へ遷移してもよい。
【０２０８】
以上の手続きにより、各装置は、本手続きを完了する。なお、本手続きに関わる各装置は、本手続きで説明する各制御メッセージを送受信する事により、各制御メッセージに含まれる1又は複数の識別情報を送受信し、送受信した各識別情報をコンテキストとして記憶してもよい。さらに、各装置は、本手続きを完了に基づいて、第1の状態へ遷移してもよい。
【０２０９】
[1.3.1.アタッチ手続きの概要]
まず、アタッチ手続きの概要について説明する。アタッチ手続きは、UE_A10が主導してネットワーク(アクセスネットワーク、及び/又はコアネットワーク_B190、及び/又はPDN_A5)へ接続する為の手続きである。UE_A10は、ネットワークに接続していない状態であれば、端末電源投入時等の任意のタイミングで本手続きを実行する事ができる。言い換えると、UE_A10は、登録されていない状態(EMM-DEREGISTERED)であれば任意のタイミングで本手続きを開始してもよい。また、各装置は、アタッチ手続き完了に基づいて、登録状態(EMM-REGISTERED)に遷移してもよい。
【０２１０】
[1.3.2.PDUセッション確立手続き例]
次に、PDUセッション確立手続きの例について説明する。以下、本手続きはPDUセッション確立手続きを指す。本手続きは、各装置がPDUセッションを確立する為の手続きである。なお、各装置は、本手続きを、アタッチ手続きを完了した状態で実行してもよいし、アタッチ手続きの中で実行してもよい。また、各装置は、登録状態で本手続きを開始してもよいし、アタッチ手続き後の任意のタイミングで本手続きを開始してもよい。また、各装置は、PDUセッション確立手続きの完了に基づいて、PDUセッションを確立してもよい。さらに、各装置は、本手続きを複数回実行する事で、複数のPDUセッションを確立してもよい。
【０２１１】
[1.3.2.1. PDUセッション確立手続き例]
図15を用いて、PDUセッション確立手続きを実行する手順の例を説明する。以下、本手続きの各ステップについて説明する。まず、UE_A10は、NR node_A122を介してCPF_A140にPDUセッション確立要求(PDU Session Establishment Request)メッセージを送信し(S1500)、PDUセッション確立手続きを開始する。なお、PDUセッションがPDNコネクション(PDN connection)である場合、PDUセッション確立要求メッセージはPDN接続要求(PDN connectivity request)メッセージでよい。さらに、PDUセッション確立要求メッセージは、NAS(Non-Access-Stratum)メッセージであってよい。また、PDUセッション確立要求メッセージは、これに限らず、PDUセッションの確立を要求するメッセージであればよい。
【０２１２】
具体的には、UE_A10は、PDUセッション確立要求メッセージを含むRRC(Radio Resource Control)メッセージをNR node_A122に送信し、PDUセッション確立要求メッセージを含むRRCメッセージを受信したNR node_A122が、PDUセッション確立要求メッセージのルーティング先のNF又は共有CPファンクションとしてCPF_A140を選択し、CPF_A140にPDUセッション確立要求メッセージを送信する。ここで、NR node_A122は、RRCメッセージに含まれる情報に基づき、ルーティング先のNF又は共有CPファンクションを選択してもよい。
【０２１３】
ここで、UE_A10は、PDUセッション確立要求メッセージ及び/又はPDUセッション確立要求メッセージを含むRRCメッセージに、少なくとも第1から7の識別情報のうち1つ以上の識別情報を含めてもよいし、これらの識別情報を含める事で、UE_A10の要求を示してもよい。
【０２１４】
さらに、UE_A10は、第1から第7の識別情報を送信する事で、UE_A10が確立を、要求する、及び/又はサポートするPDUセッションの種類を示してよい。より詳細には、UE_A10は、第1の識別情報、及び/又は第5の識別情報、及び/又は第1のタイプのPDUセッションを示す第4の識別情報を送信する事で、第1のタイプのPDUセッションの確立を、UE_A10が要求すること、及び/又はUE_A10がサポートすることを示してもよい。
【０２１５】
さらに、UE_A10は、第2の識別情報、及び/又は第6の識別情報、及び/又は第2のタイプのPDUセッションを示す第4の識別情報を送信する事で、第2のタイプのPDUセッションの確立を、UE_A10が要求すること、及び/又はUE_A10がサポートすることを示してもよい。
【０２１６】
さらに、UE_A10は、第3の識別情報、及び/又は第7の識別情報、及び/又は第3のタイプのPDUセッションを示す第4の識別情報を送信する事で、第3のタイプのPDUセッションの確立を、UE_A10が要求すること、及び/又はUE_A10がサポートすることを示してもよい。
【０２１７】
なお、UE_A10は、第1から7の識別情報のうち、どの識別情報をPDUセッション確立要求メッセージに入れるかを、UE_A10の能力情報、及び/又はUEポリシー等のポリシー、及び/又はUE_A10のプリファレンスに基づいて決定してもよい。なお、どの識別情報をPDUセッション確立要求メッセージに入れるかのUE_A10による決定はこれに限らない。
【０２１８】
CPF_A140は、PDUセッション確立要求メッセージを受信し、第1の条件判別を実行する。第1の条件判別は、CPF_A140が、UE_A10の要求を受諾するか否かを判断する為のものである。第1の条件判別において、CPF_A140は第1の条件が真であるか偽であるかを判定する。CPF_A140は、第1の条件が真の場合は本手続き中の(A)の手続きを開始し、第1の条件が偽の場合は本手続き中の(B)の手続きを開始する。なお、第1の条件が偽の場合のステップは後述する。
【０２１９】
以下、第1の条件が真の場合のステップ、すなわち本手続き中の(A)の手続きの各ステップを説明する。CPF_A140は、本手続き中の(C)の手続きを実行し、本手続き中の(A)の手続きを開始する。さらに、本手続き中の(C)の手続きの各ステップを説明する。CPF_A140は、まず、接続するNSI及び/又はUPGW_A130を選択し、選択したUPGW_A130または、選択したNSIに対応づけられたUPGW_A130にセッション生成要求メッセージを送信し、本手続き中の(C)の手続きを開始する(S1502)。
【０２２０】
ここで、CPF_A140は、セッション生成要求メッセージに、少なくとも第1から7の識別情報のうち1つ以上の識別情報を含めてもよいし、初期要求であるか否かを示す情報を含めてもよいし、これらの識別情報を含める事で、UE_A10の要求を伝達してもよい。
【０２２１】
さらに、UPGW_A130は、セッション生成要求メッセージを受信し、第3の条件判別を実行する。なお、第3の条件判別は、UPGW_A130が、UE_A10の要求を受諾するか否かを判別する為のものである。第3の条件が真とは、UE_A10の要求を受諾する場合であり、UE_A10の要求が許可される場合でよい。また、第3の条件が偽とは、UE_A10の要求を拒否する場合であり、第3の条件を真と判断しない場合でよい。
【０２２２】
また、第3の条件判別は、UPGW_A130ではなく、別の装置(例えば、PCRF_A60)が実施してもよい。その場合、UPGW_A130は、PCRF_A60との間でIP-CANセッション確立手続きを実施する。より具体的には、UPGW_A130は、PCRF_A60にIP-CANセッション確立手続き中の要求メッセージを送信する。さらに、PCRF_A60は、IP-CANセッション確立手続き中の要求メッセージを受信し、第3の条件を判別し、UPGW_A130にIP-CANセッション確立手続き中の応答メッセージを送信する。さらに、UPGW_A130はIP-CANセッション確立手続き中の応答メッセージを受信し、第3の条件判別の結果を認識する。
【０２２３】
ここで、UPGW_A130は、IP-CANセッション確立手続き中の要求メッセージに、少なくとも第1から7の識別情報のうち1つ以上の識別情報を含めてもよいし、これらの識別情報を含める事で、UE_A10の要求を伝達してもよい。
【０２２４】
また、PCRF_A60は、IP-CANセッション確立手続き中の応答メッセージに、少なくとも第3の条件判別の結果を含めてもよいし、この結果を含める事で、第3の条件判別の結果をUPGW_A130に通知してもよい。
【０２２５】
さらに、PCRF_A60は、IP-CANセッション確立手続き中の応答メッセージに、第11から17の識別情報のうち1つ以上の識別情報を含めてもよいし、これらの識別情報を含める事で、UE_A10の要求が受諾、及び/又は許可された事を示してしてもよい。
【０２２６】
また、PCRF_A60は、IP-CANセッション確立手続き中の応答メッセージに、第18の識別情報のうち1つ以上の識別情報を含めてもよいし、これらの識別情報を含める事で、UE_A10の要求が拒絶された事を示してしてもよい。
【０２２７】
なお、PCRF_A60が第3の条件判別を実施した場合、UPGW_A130は、PCRF_A60から受信した第3の条件判別の結果を基に、第3の条件判別を実施してもよい。例えば、PCRF_A60がUE_A10の要求を受諾する場合、PCRF_A60、及びUPGW_A130は第3の条件を真としてもよく、UE_A10の要求を拒絶する場合、PCRF_A60、及びUPGW_A130は第3の条件を偽としてもよい。
【０２２８】
第3の条件判別において、UPGW_A130は第3の条件が真であるか偽であるかを判定する。第3の条件が真の場合には、UPGW_A130はCPF_A140にセッション生成応答メッセージを送信する(S1506)。さらに、CPF_A140は、セッション生成応答メッセージを受信する。
【０２２９】
また、UPGW_A130は、セッション生成応答メッセージに、第11から17の識別情報のうち1つ以上の識別情報を含めてもよいし、IPアドレスを含めてもよいし、これらの識別情報を含める事で、UE_A10の要求が許可された事を示してしてもよい。
【０２３０】
また、第3の条件が偽の場合には、UPGW_A130はCPF_A140にセッション生成拒絶メッセージを送信する(S1508)。なお、セッション生成拒絶メッセージは、拒絶理由(Reject cause)を含むセッション生成応答メッセージでもよい。
【０２３１】
また、UPGW_A130は、セッション生成拒絶メッセージに、第18の識別情報のうち1つ以上の識別情報を含めてもよいし、これらの識別情報を含める事で、UE_A10の要求が拒絶された事を示してしてもよい。
【０２３２】
各装置は、セッション生成応答メッセージ、及び/又はセッション生成拒絶メッセージの送受信に基づき、本手続き中の(C)の手続きを完了する。
【０２３３】
CPF_A140は、セッション生成応答メッセージの受信に基づいて、NR node_A122にPDUセッション確立受諾(PDU session establishment accept)メッセージを送信する(S1514)。なお、CPF_A140は、セッション生成拒絶メッセージを受信した場合、本手続き中の(A)の手続きを続けず、本手続き中の(B)の手続きを開始してもよい。また、PDUセッションがPDNコネクションである場合、PDUセッション確立受諾メッセージは、PDN接続受諾(PDN Connectivity Accept)メッセージでもよいし、デフォルトEPSベアラコンテキストアクティブ化要求(Activate default EPS bearer context request)メッセージでもよい。さらに、PDUセッション確立受諾メッセージは、NASメッセージであってよい。また、PDUセッション確立受諾メッセージは、PDUセッション確立要求メッセージに対する応答メッセージであればよく、これに限らず、PDUセッション確立の要求を受諾するメッセージであればよい。
【０２３４】
NR node_A122は、PDUセッション確立受諾メッセージを受信し、UE_A10にRRCメッセージ(例えば、RRC Connection ReconfigurationメッセージやRRC Connection Setupメッセージや、RRC Direct Transferメッセージ等のRRCメッセージでもよい)、及び/又はPDUセッション確立受諾メッセージを送信する(S1516)。なお、PDUセッション確立受諾メッセージは、RRCメッセージに含まれて送受信されてもよい。
【０２３５】
ここで、CPF_A140は、PDUセッション確立受諾メッセージに、少なくとも第11から17の識別情報のうち1つ以上の識別情報を含めてもよいし、IPアドレスを含めてもよいし、これらの識別情報を含める事で、UE_A10の要求が受諾された事を示してしてもよい。
【０２３６】
さらに、CPF_A140は、第11から第17の識別情報を送信する事で、ネットワークが確立を、許可する、及び/又はサポートするPDUセッションの種類を示してよい。より詳細には、CPF_A140は、第11の識別情報、及び/又は第15の識別情報、及び/又は第1のタイプのPDUセッションを示す第14の識別情報を送信する事で、第1のタイプのPDUセッションの確立が、ネットワークによって受諾されたこと、及び/又はサポートされていることを示してもよい。
【０２３７】
さらに、CPF_A140は、第12の識別情報、及び/又は第16の識別情報、及び/又は第2のタイプのPDUセッションを示す第14の識別情報を送信する事で、第2のタイプのPDUセッションの確立が、ネットワークによって受諾されたこと、及び/又はサポートされていることを示してもよい。
【０２３８】
さらに、CPF_A140は、第3の識別情報、及び/又は第7の識別情報、及び/又は第3のタイプのPDUセッションを示す第4の識別情報を送信する事で、第3のタイプのPDUセッションの確立が、ネットワークによって受諾されたこと、及び/又はサポートされていることを示してもよい。
【０２３９】
RRCメッセージを受信した場合、UE_A10はNR node_A122にRRCメッセージ(例えば、RRC Connection Reconfiguration CompleteメッセージやRRC Connection Setup Completeメッセージや、RRC Direct Transferメッセージ等のRRCメッセージでもよい)を送信する(S1518)。NR node_A122は、RRCメッセージを受信し、CPF_A140にベアラ設定メッセージを送信する(S1520)。さらに、CPF_A140は、ベアラ設定メッセージを受信する。
【０２４０】
なお、CPF_A140は、第11から17の識別情報のうち、どの識別情報をPDUセッション確立受諾メッセージに入れるかを、受信した識別情報、及び/又は、ネットワークの能力情報、及び/又はオペレータポリシー等のポリシー、及び/又はネットワークの状態に基づいて決定してもよい。なお、どの識別情報をPDUセッション確立受諾メッセージに入れるかのCPF_A140による決定はこれに限らない。
【０２４１】
PDUセッション確立受諾メッセージを受信した場合、UE_A10はNR node_A122を介してCPF_A140にPDUセッション確立完了(PDU session establishment complete)メッセージを送信する(S1522)(S1524)。さらに、CPF_A140は、PDUセッション確立完了メッセージを受信し、第2の条件判別を実行する。なお、PDUセッションがPDNコネクションである場合、PDUセッション確立完了メッセージは、PDN接続完了(PDN Connectivity complete)メッセージでもよいし、デフォルトEPSベアラコンテキストアクティブ化受諾(Activate default EPS bearer context accept)メッセージでもよい。さらに、PDUセッション確立完了メッセージは、NASメッセージであってよい。また、PDUセッション確立完了メッセージは、PDUセッション確立受諾メッセージに対する応答メッセージであればよく、これに限らず、PDUセッション確立手続きが完了する事を示すメッセージであればよい。
【０２４２】
第2の条件判別は、CPF_A140が、UPGW_A130にベアラの変更を要求する必要の要否を判定する為ものである。第2の条件が真の場合、CPF_A140は本手続き中の(D)の手続きを開始する。また、第2の条件判別が偽の場合CPF_A140は本手続き中の(D)の手続きを実行しない。以下、本手続き中の(D)の手続きの各ステップを説明する。第2の条件が真の場合、CPF_A140は、ベアラ変更要求メッセージをSGW_A35に送信し(S1526)、本手続き中の(D)の手続きを開始する。さらに、SGW_A35は、ベアラ変更要求メッセージを受信し、CPF_A140にベアラ変更応答メッセージを送信する(S1528)。さらに、CPF_A140は、ベアラ変更応答メッセージを受信し、本手続きの(D)の手続きを完了する。さらに、各装置は、第2の条件判別が偽の場合PDUセッション確立完了メッセージの送受信に基づき、及び/又は第2の条件判別が真の場合本手続きの中の(D)の手続きの完了に基づき、本手続き中の(A)の手続きを完了する。
【０２４３】
次に、本手続き中の(B)の手続きの各ステップを説明する。CPF_A140は、NR node_A122を介してUE_A10にPDUセッション確立拒絶(PDU session establishment reject)メッセージを送信し(S1530)、本手続き中の(B)の手続きを開始する。さらに、UE_A10はPDUセッション確立拒絶メッセージを受信し、UE_A10の要求が拒絶された事を認識する。各装置は、PDUセッション確立拒絶メッセージの送受信に基づき、本手続き中の(B)の手続きを完了する。PDUセッション確立拒絶メッセージには、適切な拒絶理由が含まれてもよい。なお、PDUセッションがPDNコネクションである場合、PDUセッション確立拒絶メッセージはPDN接続拒絶(PDN Connectivity reject)メッセージでよい。さらに、PDUセッション確立拒絶メッセージは、NASメッセージであってよい。また、PDUセッション確立拒絶メッセージは、PDUセッション確立要求メッセージに対する応答メッセージであればよく、これに限らず、PDUセッション確立の要求を拒絶するメッセージであればよい。
【０２４４】
また、CPF_A140は、PDUセッション確立拒絶メッセージに、第18の識別情報を含めてもよいし、これらの識別情報を含める事で、UE_A10の要求が拒絶された事を示してしてもよい。
【０２４５】
さらに、CPF_A140は、第18の識別情報を送信する事で、PDUセッション確立手続きが拒絶された理由を示してもよいし、PDUセッション確立手続き後に、各装置が実施すべき処理を示してもよい。
【０２４６】
各装置は、本手続き中の(A)又は(B)の手続きの完了に基づいて、本手続きを完了する。なお、各装置は、本手続き中の(A)の手続きの完了に基づいて、PDUセッションが確立された状態に遷移してもよいし、本手続き中の(B)の手続きの完了に基づいて、本手続きが拒絶された事を認識してもよいし、PDUセッションが確立されていない状態に遷移してもよい。
【０２４７】
さらに、各装置は、本手続きの完了に基づいて、本手続きで送受信した識別情報に基づいた処理を実施してもよい。例えば、UE_A10は、第11から17の識別情報のうち1つ以上の識別情報を受信した場合、各識別情報で示される種類のPDUセッションを確立してもよいし、確立されたPDUセッションの種類が、識別情報で示された種類であることを認識してもよい。なお、UE_A10は、受信した識別情報に関わらず、デフォルトのタイプのPDUセッションを確立してもよい。
【０２４８】
また、UE_A10は、第18の識別情報を受信した場合、UE_A10の要求が拒絶された理由を認識してもよい。さらに、UE_A10は、UE_A10の要求が拒絶された理由に基づいて、別の条件で再度本手続きを実施してもよいし、トラッキングエリア更新手続き等の別の手続きを実施してもよい。
【０２４９】
また、前述した第1から第3の条件判別は、PDUセッション確立要求メッセージに含まれる識別情報、及び/又は加入者情報、及び/又はオペレータポリシーに基づいて実行されてもよい。また、第1から第3の条件の真偽が決まる条件は前述した条件に限らなくてもよい。
【０２５０】
例えば、第1の条件、及び/又は第3の条件は、UE_A10がPDUセッションの確立を要求し、ネットワークが要求を許可する場合、真でよい。また、第1の条件、及び/又は第3の条件は、UE_A10がPDUセッションの確立を要求し、ネットワークが要求を許可しない場合、偽でよい。さらに、第1の条件、及び/又は第3の条件は、UE_A10の接続先のネットワーク、及び/又はネットワーク内の装置が、UE_A10が要求するPDUセッションの確立を、サポートしている場合は真でよく、サポートしていない場合は偽でよい。
【０２５１】
[1.3.3.アタッチ手続き例]
図16を用いて、アタッチ手続きを実行する手順の例を説明する。以下、本手続きとはアタッチ手続きを指す。本手続きは、UE_A10がネットワークに登録されるための手続きである。以下、本手続きの各ステップについて説明する。まず、UE_A10は、NR node_A122を介してCPF_A140にアタッチ要求(Attach request)メッセージを送信し(S1600)、アタッチ手続きを開始する。UE_A10は、アタッチ要求メッセージに、前述したPDUセッション確立要求メッセージを含めて送信してもよいし、PDUセッション確立要求メッセージを含める事で、アタッチ手続き中でPDUセッション確立手続きを実施する事を要求してもよい。
【０２５２】
具体的には、UE_A10は、アタッチ要求メッセージを含むRRCメッセージをNR node_A122に送信し、アタッチ要求メッセージを含むRRCメッセージを受信したNR node_A122が、アタッチ要求メッセージのルーティング先のNF又は共有CPファンクションとしてCPF_A140を選択し、CPF_A140にアタッチ要求メッセージを送信する。ここで、NR node_A122は、RRCメッセージに含まれる情報に基づき、ルーティング先のNF又は共有CPファンクションを選択してもよい。また、アタッチ要求メッセージは、NASメッセージであってよい。
【０２５３】
なお、UEA10は、接続を要求するNSIごとに存在する1つ以上のアタッチ要求メッセージを、1つのRRCメッセージに含めて送信してもよいし、複数のアタッチ要求メッセージを総称してアタッチ要求メッセージとしてもよい。または、UE_A10は接続を要求するNSIごとに、それぞれアタッチ要求メッセージをRRCメッセージに含めて送信してもよい。
【０２５４】
ここで、UE_A10は、アタッチ要求メッセージ及び/又はRRCメッセージに、少なくとも第1から7の識別情報及び第21の識別情報のうち1つ以上の識別情報を含めてもよいし、これらの識別情報を含める事で、UE_A10の要求を示してもよい。
【０２５５】
さらに、UE_A10は、第1から第7の識別情報を送信する事で、UE_A10が確立を、要求する、及び/又はサポートするPDUセッションの種類を示してよい。より詳細には、UE_A10は、第1の識別情報、及び/又は第5の識別情報、及び/又は第1のタイプのPDUセッションを示す第4の識別情報を送信する事で、第1のタイプのPDUセッションの確立を、UE_A10が要求すること、及び/又はUE_A10がサポートすることを示してもよい。
【０２５６】
さらに、UE_A10は、第2の識別情報、及び/又は第6の識別情報、及び/又は第2のタイプのPDUセッションを示す第4の識別情報を送信する事で、第2のタイプのPDUセッションの確立を、UE_A10が要求すること、及び/又はUE_A10がサポートすることを示してもよい。
【０２５７】
さらに、UE_A10は、第3の識別情報、及び/又は第7の識別情報、及び/又は第3のタイプのPDUセッションを示す第4の識別情報を送信する事で、第3のタイプのPDUセッションの確立を、UE_A10が要求すること、及び/又はUE_A10がサポートすることを示してもよい。
【０２５８】
さらに、UE_A10は、第21の識別情報を送信することで、現在のTAが以前に接続したTAと、同じことを示してもよいし、異なるTAであることを示してもよい。なお、UE_A10は、第1から第7の識別情報を第21の識別情報と対応付け送信してもよい。
【０２５９】
なお、UE_A10は、第1から7の識別情報及び第21の識別情報のうち、どの識別情報をアタッチ要求メッセージに入れるかを、UE_A10の能力情報、及び/又はUEポリシー等のポリシー、及び/又はUE_A10のプリファレンスに基づいて決定してもよい。なお、どの識別情報をアタッチ要求メッセージに入れるかのUE_A10による決定はこれに限らない。
【０２６０】
また、UE_A10は、これらの識別情報を、アタッチ要求メッセージとは異なる制御メッセージに含めて送信してもよい。例えば、UE_A10は、ESM(EPS Session Management)情報要求メッセージへの応答メッセージであるESM情報応答メッセージ(S1602)に、これらの識別情報を含めて送信してもよい。
【０２６１】
CPF_A140は、アタッチ要求メッセージ及び/又はアタッチ要求メッセージとは異なる制御メッセージを受信し、第1の条件判別を実行する。CPF_A140は、第1の条件が真の場合、本手続き中の(A)の手続きを開始し、第1の条件が偽の場合、本手続き中の(B)の手続きを開始する。
【０２６２】
以下、本手続き中の(A)の手続きの各ステップを説明する。CPF_A140は、第4の条件判別を実行し、本手続き中の(A)の手続きを開始する。第4の条件判別において、CPF_A140は第4の条件が真であるか偽であるかを判定する。CPF_A140は、UE主導のPDUセッション確立手続き中の(C)の手続きを、第4の条件が真の場合には実行し、第4の条件が偽の場合には省略する(S1604)。さらに、CPF_A140は、アタッチ要求メッセージ及び/又はセッション生成応答メッセージの受信、及び/又はPDN接続手続き中の(C)の手続きの完了に基づいて、NR node_A122にアタッチ受諾(Attach accept)メッセージを送信する(S1606)。なお、CPF_A140は、セッション生成拒絶メッセージを受信した場合、本手続き中の(A)の手続きを続けず、本手続き中の(B)の手続きを開始してもよい。ここで、CPF_A140は、アタッチ受諾メッセージをS1APメッセージ(例えばInitial context setup requestや、Downlink NAS Transport)に含めてNR node_A122へ送信してもよい。さらに、アタッチ受諾メッセージはNASメッセージであってよい。また、アタッチ受諾メッセージは、アタッチ要求メッセージに対する応答メッセージであってよい。
【０２６３】
NR node_A122は、アタッチ受諾メッセージを受信し、UE_A10にRRCメッセージ(例えば、RRC Connection ReconfigurationメッセージやRRC Connection Setupメッセージや、RRC Direct Transferメッセージ等のRRCメッセージでもよい)及び/又はアタッチ受諾メッセージを送信する(S1608)。なお、アタッチ受諾メッセージは、RRCメッセージに含まれて送受信されてもよい。さらに、第4の条件が真の場合、CPF_A140は、アタッチ受諾メッセージに、前述したPDUセッション確立受諾メッセージを含めて送信してもよいし、PDUセッション確立受諾メッセージを含める事で、PDUセッション確立手続きが受諾された事を示してもよい。
【０２６４】
ここで、CPF_A140は、アタッチ受諾メッセージに、少なくとも第11から17の識別情報及び第31から32の識別情報のうち1つ以上の識別情報を含めてもよいし、IPアドレスを含めてもよいし、これらの識別情報を含める事で、UE_A10の要求が受諾された事を示してしてもよい。
【０２６５】
さらに、CPF_A140は、第11から第17の識別情報を送信する事で、ネットワークが確立を、許可する、及び/又はサポートするPDUセッションの種類を示してよい。より詳細には、CPF_A140は、第11の識別情報、及び/又は第15の識別情報、及び/又は第1のタイプのPDUセッションを示す第14の識別情報を送信する事で、ネットワークによって、許可されている、及び/又はサポートされているPDUセッションの種類が、第1のタイプのPDUセッションであることを示してもよい。
【０２６６】
さらに、CPF_A140は、第12の識別情報、及び/又は第16の識別情報、及び/又は第2のタイプのPDUセッションを示す第14の識別情報を送信する事で、ネットワークによって、許可されている、及び/又はサポートされているPDUセッションの種類が、第2のタイプのPDUセッションであることを示してもよい。
【０２６７】
さらに、CPF_A140は、第13の識別情報、及び/又は第17の識別情報、及び/又は第3のタイプのPDUセッションを示す第14の識別情報を送信する事で、ネットワークによって、許可されている、及び/又はサポートされているPDUセッションの種類が、第3のタイプのPDUセッションであることを示してもよい。
【０２６８】
さらに、CPF_A140は、第31の識別情報を送信する事で、ネットワークがUE_A10に接続を許可した一又は複数のTAを示してもよいし、本手続き完了後にトラッキングエリア更新手続きを実行することなく、UE_A10が移動することができるエリアを示してもよい。
【０２６９】
さらに、CPF_A140は、第11から17の識別情報と第31の識別情報を対応付けて送信してもよいし、これらの対応づけられた識別情報を送信することで、第11から17の識別情報で示される種類のPDUセッションの確立が、第31の識別情報で示されたTA内で、許可されていること、及び/又はサポートされていることを示してもよい。
【０２７０】
さらに、CPF_A140は、第11から17の識別情報で示される種類のPDUセッションが、第2のタイプのPDUセッションである場合、CPF_A140は、さらに、第32の識別情報を送信してもよいし、第32の識別情報を送信することで、PDUセッションがサスペンドした際に、PDUセッションのサスペンドが有効である時間を示してもよい。
【０２７１】
なお、CPF_A140は、第11から17の識別情報及び第31から32の識別情報のうち、どの識別情報をアタッチ受諾メッセージに入れるかを、受信した識別情報、及び/又は、ネットワークの能力情報、及び/又はオペレータポリシー等のポリシー、及び/又はネットワークの状態に基づいて決定してもよい。なお、どの識別情報をアタッチ受諾メッセージに入れるかのCPF_A140による決定はこれに限らない。
【０２７２】
ここで、第1の条件判別は、PDUセッション確立手続き中の第1の条件判別と同じでよい。また、第4の条件判別は、CPF_A140が、PDUセッション確立手続きを実施するか否かを判別する為のものである。第4の条件が真とは、PDUセッション確立要求メッセージを受信した場合であり、本手続き中でPDUセッション確立手続きも実行する場合でよい。また、第4の条件が偽とは、PDUセッション確立要求メッセージを受信しなかった場合であり、本手続き中でPDUセッション確立手続きも実行しない場合でよいし、第4の条件を真と判断しない場合でよい。
【０２７３】
UE_A10がNR node_A122からRRCメッセージを受信した場合、UE_A10は、NR node_A122にRRCコネクションメッセージ(例えば、RRC Connection Reconfiguration CompleteメッセージやRRC Connection Setup Completeメッセージや、RRC Direct Transferメッセージ等のRRCメッセージでもよい)を送信する(S1610)。NR node_A122は、RRCメッセージを受信し、CPF_A140にベアラ設定メッセージを送信する(S1612)。さらに、CPF_A140は、ベアラ設定メッセージを受信する。
【０２７４】
UE_A10がCPF_A140からNR node_A122を介してアタッチ受諾メッセージを受信した場合、UE_A10は、NR node_A122を介してCPF_A140にアタッチ完了(Attach complete)メッセージを送信する(S1614)(S1616)。さらに、CPF_A140は、アタッチ完了メッセージを受信する。さらに、第4の条件が真の場合、CPF_A140は第2の条件判別を実行する。第2の条件判別は、CPF_A140が、UPGW_A130にベアラの変更を要求する必要の要否を判定する為ものである。第2の条件が真の場合、CPF_A140は、PDUセッション確立手続き中の(D)手続きを開始し、実行(S1618)。各装置は、アタッチ完了メッセージの送受信、及び/又はPDUセッション確立手続き中の(D)手続きの完了に基づき、本手続き中の(A)の手続きを完了する。
【０２７５】
なお、UE_A10は、PDUセッション確立受諾メッセージを受信した場合、アタッチ完了メッセージに、前述したPDUセッション確立完了メッセージを含めて送信してもよいし、PDUセッション確立完了メッセージを含める事で、PDUセッション確立手続きを完了する事を示してもよい。ここで、アタッチ完了メッセージはNASメッセージであってよい。また、アタッチ完了メッセージは、アタッチ応答メッセージに対する応答メッセージであってよい。
【０２７６】
次に、本手続き中の(B)の手続きの各ステップを説明する。CPF_A140は、NR node_A122を介してUE_A10にアタッチ拒絶(Attach reject)メッセージを送信し(S1620)、本手続き中の(B)の手続きを開始する。さらに、UE_A10は、アタッチ拒絶メッセージを受信し、UE_A10の要求が拒絶された事を認識する。各装置は、アタッチ拒絶メッセージの送受信に基づき、本手続き中の(B)の手続きを完了する。なお、第4の条件が真の場合、CPF_A140は、アタッチ拒絶メッセージに、前述したPDUセッション確立拒絶メッセージを含めて送信してもよいし、PDUセッション確立拒絶メッセージを含める事で、PDUセッション確立手続きが拒絶された事を示してもよい。その場合、UE_A10は、さらに、PDUセッション確立拒絶メッセージを受信してもよいし、PDUセッション確立手続きが拒絶された事を認証してもよい。さらに、アタッチ拒絶メッセージは、NASメッセージであってよい。また、アタッチ拒絶メッセージは、アタッチ要求メッセージに対する応答メッセージであればよく、これに限らず、UE_A10のネットワークへの登録を拒絶するメッセージであればよい。
【０２７７】
また、CPF_A140は、アタッチ拒絶メッセージに、第18の識別情報を含めてもよいし、これらの識別情報を含める事で、UE_A10の要求が拒絶された事を示してしてもよい。
【０２７８】
さらに、各装置は、第18の識別情報を送受信する事で、アタッチ手続きが拒絶された理由を認識してもよいし、アタッチ手続き後に、各装置が実施すべき処理を示してもよいし、再度本手続きを実施してもよいし、別の条件で本手続きを実施してもよい。
【０２７９】
各装置は、本手続き中の(A)又は(B)の手続きの完了に基づいて、本手続きを完了する。なお、各装置は、本手続き中の(A)の手続きの完了に基づいて、UE_A10がネットワークに接続した状態及び/又は登録状態に遷移してもよいし、本手続き中の(B)の手続きの完了に基づいて、本手続きが拒絶された事を認識してもよいし、ネットワークに接続できない状態に遷移してもよい。また、各装置の各状態への遷移は、本手続きの完了に基づいて行われてもよく、PDUセッションの確立に基づいて行われてもよい。
【０２８０】
さらに、各装置は、本手続きの完了に基づいて、本手続きで送受信した識別情報に基づいた処理を実施してもよい。例えば、UE_A10は、第11から17の識別情報及び第31から32の識別情報のうち1つ以上の識別情報を受信した場合、第11から第17の各識別情報で示される種類のPDUセッションの確立が、第31の識別情報で示されるTAで、許可されていること、及び/又はサポートされていることを認識してもよい。
【０２８１】
また、UE_A10は、第18の識別情報を受信した場合、UE_A10の要求が拒絶された理由を認識してもよい。さらに、UE_A10は、UE_A10の要求が拒絶された理由に基づいて、再度本手続きを実施してもよいし、コアネットワーク_A90や別のセルに対してアタッチ手続きを実施してもよい。
【０２８２】
また、上述した第1から第4の条件判別は、アタッチ要求メッセージに含まれる識別情報、及び/又は加入者情報、及び/又はオペレータポリシーに基づいて実行されてもよい。また、第1から第4の条件の真偽が決まる条件は上述した条件に限らなくてもよい。
【０２８３】
例えば、また、第1の条件判別、及び/又は第3の条件判別は、上述したPDUセッション確立手続き例と同様でよい。
【０２８４】
[1.4.UEのモビリティに伴う手続きの説明]
次に、UEのモビリティに伴う手続きを用いて説明する。本実施形態では、各装置は、UEのモビリティに伴う手続きを実行することで、第1の状態又は第2の状態に遷移する。以下、本手続きは、UEのモビリティに伴う手続きを指す。
【０２８５】
さらに、本手続きは、第1のUEのモビリティに伴う手続きと、第2のUEのモビリティに伴う手続きとがあってよい。第1のUEのモビリティに伴う手続きは、各装置が第1の状態で実行される手続きであってよく、第2のUEのモビリティに伴う手続きは、各装置が第2の状態で実行さえる手続きであってよい。
【０２８６】
[1.4.1.第1のUEのモビリティに伴う手続きの説明]
次に、第1のUEのモビリティに伴う手続きを図18を用いて説明する。第1のUEのモビリティに伴う手続きは、各装置が第1の状態である場合において、UE_A10がTAを跨いだモビリティを行った際に実行される手続きである。以下、本手続きは、第1のUEのモビリティに伴う手続きを指し、各手続きには、トラッキングエリア更新手続きがある。さらに、UE_A10が新たに侵入したTAには、NR node_B123が配置されていてもよく、本手続き中で実行されるトラッキングエリア更新は、NR node_A122に対して実行されてよい。この場合、トラッキングエリア更新手続き中でNR node_A122が実施する各メッセージの送受信及び各処理は、NR node_B123が実施してもよい。さらに、本手続きは、各装置が第1の状態であれば、任意のタイミングで実行可能である手続きであってもよい。
【０２８７】
次に、各手続きの説明を以下にする。各装置は、まず、第1の状態(S1802)において、トラッキングエリア更新手続き(S1804)を実行する。なお、トラッキングエリア更新手続きは、UE_A10のTAを跨ぐモビリティに基づいて実行されてもよいし、定期的に実行されてもよい。これに限らず、トラッキングエリア更新手続きは、第1の状態に遷移した状態であれば任意のタイミングで実行されてもよい。
【０２８８】
また、各装置は、トラッキングエリア更新手続きにおいて、各種要求情報を交換してもよい。例えば、トラッキングエリア更新手続きにおいて、UE_A10及びコアネットワーク＿B190は、第1から4の識別情報及び第21の識別情報のうち1つ以上の識別情報、及び/又は第11から14の識別情報及び第31から第36の識別情報うち1つ以上の識別情報の交換を実施してもよい。
【０２８９】
さらに、各装置は、トラッキングエリア更新手続きの完了に基づいて、第2の状態に遷移してもよい。なお、各装置が、トラッキングエリア更新手続きの完了に基づいて遷移する状態はこれに限らない。
【０２９０】
以上の手続きにより、各装置は、本手続きを完了する。なお、本手続きに関わる各装置は、本手続きで説明する各制御メッセージを送受信する事により、各制御メッセージに含まれる1又は複数の識別情報を送受信し、送受信した各識別情報をコンテキストとして記憶してもよい。さらに、各装置は、本手続きの完了に基づいて、第1の状態から第2の状態(S1806)に遷移してもよい。
【０２９１】
ここで、各装置は、第2の状態に遷移することに基づいて、第1のタイマーの実行を開始してもよい。言い換えると、各装置は、確立しているPDUセッションのサスペンドに基づいて、第1のタイマーの実行を開始してもよい。さらに言い換えると、各装置は、トラッキングエリア更新手続きの完了に基づいて、第1のタイマーの実行を開始してもよい。さらに、各装置は、トラッキングエリア更新手続きで送受信したタイマーの値を、第1のタイマーの値として用いて第1のタイマーを実行してもよい。
【０２９２】
さらに、第1のタイマーを実行している状態で、UE_A10が以前に接続していたトラッキングエリアに再び移動した場合、UE_A10は、第2のUEのモビリティに伴う手続きを開始してもよいし、各装置は、サスペンドされたPDUセッションをレジュームしてもよいし、さらに、第1のタイマーの実行を停止してもよい。逆に、第1のタイマーの実行が満了した場合、UE_A10は、第2のUEのモビリティに伴う手続きを開始してもよいし、各装置は、サスペンドされたPDUセッションを切断してもよい。なお、UE_A10が以前に接続していたトラッキングエリアは、UE_A10がトラッキングエリア更新手続きを実行する前に保持していたTAリストに含まれるトラッキングエリアであってよい。
【０２９３】
[1.4.2.第2のUEのモビリティに伴う手続きの説明]
次に、第2のUEのモビリティに伴う手続きを図2を用いて説明する。第2のUEのモビリティに伴う手続きは、各装置が第2の状態である場合において、UE_A10がTAを跨いだモビリティを行った際に実行される手続きである。以下、本手続きは、第2のUEのモビリティに伴う手続きを指し、各手続きには、トラッキングエリア更新手続きがある。さらに、UE_A10が新たに侵入したTAには、NR node_B122が配置されていてもよく、本手続き中で実行されるトラッキングエリア更新は、NR node_A122に対して実行されてよい。さらに、本手続きは、各装置が第2の状態であれば、任意のタイミングで実行可能である手続きであってもよい。
【０２９４】
次に、各手続きの説明を以下にする。各装置は、まず、第2の状態(S202)において、トラッキングエリア更新手続き(S204)を実行する。なお、トラッキングエリア更新手続きは、UE_A10のTAを跨ぐモビリティに基づいて実行されてもよいし、定期的に実行されてもよい。これに限らず、トラッキングエリア更新手続きは、第2の状態に遷移した状態であれば任意のタイミングで実行されてもよい。
【０２９５】
また、各装置は、トラッキングエリア更新手続きにおいて、各種要求情報を交換してもよい。例えば、トラッキングエリア更新手続きにおいて、UE_A10及びコアネットワーク＿B190は、第2から4の識別情報及び第21の識別情報のうち1つ以上の識別情報、及び/又は第21から14の識別情報及び第31から第36の識別情報うち1つ以上の識別情報の交換を実施してもよい。
【０２９６】
さらに、各装置は、トラッキングエリア更新手続きの完了に基づいて、第1の状態に遷移してもよい。なお、各装置が、トラッキングエリア更新手続きの完了に基づいて遷移する状態はこれに限らない。
【０２９７】
以上の手続きにより、各装置は、本手続きを完了する。なお、本手続きに関わる各装置は、本手続きで説明する各制御メッセージを送受信する事により、各制御メッセージに含まれる1又は複数の識別情報を送受信し、送受信した各識別情報をコンテキストとして記憶してもよい。さらに、各装置は、本手続きの完了に基づいて、第2の状態から第1の状態(S206)に遷移してもよい。
【０２９８】
[1.4.3.トラッキングエリア更新手続きの概要]
トラッキングエリア更新手続き(Tracking Area Update Procedure)の概要について説明する。以下、本手続きは、トラッキングエリア更新手続きを指す。本手続きは、ネットワーク(アクセスネットワーク、及び/又は、コアネットワーク_B190)におけるUE_A10の位置登録情報を更新する、及び/又は、UE_A10からネットワークへ定期的にUE_A10の状態を通知する、及び/又は、ネットワークにおけるUE_A10に関する特定のパラメータを更新する為の手続きである。
【０２９９】
UE_A10は、TAを跨ぐモビリティをした際に、本手続きを開始してもよい。言い換えると、UE_A10は、保持しているTAリストで示されるTAとは異なるTAに侵入した際に、本手続きを開始してもよい。さらに、UE_A10は、実行しているタイマーが満了した際に本手続きを開始してもよい。さらに、UE_A10は、PDUセッション、及び/又はEPSベアラの切断や無効化が原因で各装置のコンテキストの更新が必要な際に本手続きを開始してもよい。さらに、UE_A10は、UE_A10のPDUセッション確立に関する、能力情報、及び/又はプリファレンスに変化が生じた場合、本手続きを開始してもよい。さらに、UE_A10は、定期的に本手続きを開始してもよい。なお、UE_A10は、これらに限らず、PDUセッションが確立された状態であれば、任意のタイミングで本手続きを実行する事ができる。
【０３００】
さらに、UE_A10は、第1の状態又は第2の状態で、本手続きを開始し、本手続きの完了に基づいて第1の状態又は第2の状態に遷移してもよい。より詳細には、UE_A10が第1の状態の状態で本手続きを開始した場合、各装置は、送受信する識別情報に基づいて、第1の状態に遷移するか、第2の状態に遷移するかを決定し、決定した状態へ遷移してもよい。さらに、UE_A10が第2の状態の状態で本手続きを開始した場合、各装置は、送受信する識別情報に基づいて、第1の状態に遷移するか、第2の状態に遷移するかを決定し、決定した状態へ遷移してもよい。
【０３０１】
[1.4.3.1.トラッキングエリア更新手続き例]
図17を用いて、トラッキングエリア更新手続きを実行する手順の例を説明する。以下、本手続きの各ステップについて説明する。まずUE_A10は、NR node_A122を介してCPF_A140にトラッキングエリア更新要求(Tracking Area Update request)メッセージを送信し(S1700)、トラッキングエリア更新手続きを開始する。
【０３０２】
具体的には、UE_A10は、トラッキングエリア更新要求メッセージを含むRRCメッセージをNR node_A122に送信し、トラッキングエリア更新要求メッセージを含むRRCメッセージを受信した、NR node_A122がトラッキングエリア更新要求メッセージのルーティング先のNF又は共有CPファンクションとしてCPF_A140を選択し、CPF_A140にアタッチ要求メッセージを送信する。ここで、NR node_A122は、RRCメッセージに含まれる情報に基づき、ルーティング先のNF又は共有CPファンクションを選択してもよい。また、トラッキングエリア更新要求メッセージは、NASメッセージであってよい。なお、NR node_A122は、UE_A10が現在接続しているTA中のアクセスネットワークの装置であってよい。従って、NR node_A122は、NR node_B123であってもよく、本手続き中のNR node_A122が実施する各メッセージの送受信は、NR node_A122の代わりにNR node_B123が実施してもよい。
【０３０３】
ここで、UE_A10は、トラッキングエリア更新要求メッセージ及び/又はRRCメッセージに、少なくとも、第1から4の識別情報及び第21から22の識別情報のうち1つ以上の識別情報を含めてもよいし、これらの識別情報を含める事で、UE_A10の要求を示してもよい。
【０３０４】
さらに、UE_A10は、第1から第4の識別情報を送信する事で、UE_A10がサポートするPDUセッションの種類を示してよい。より詳細には、UE_A10は、第1の識別情報、及び/又は第1のタイプのPDUセッションを示す第4の識別情報を送信する事で、第1のタイプのPDUセッションを、UE_A10がサポートすることを示してもよい。
【０３０５】
さらに、UE_A10は、第2の識別情報、及び/又は第2のタイプのPDUセッションを示す第4の識別情報を送信する事で、第2のタイプのPDUセッションを、UE_A10がサポートすることを示してもよい。
【０３０６】
さらに、UE_A10は、第3の識別情報、及び/又は第3のタイプのPDUセッションを示す第4の識別情報を送信する事で、第3のタイプのPDUセッションの確立を、UE_A10がサポートすることを示してもよい。
【０３０７】
なお、UE_A10は、アタッチ手続き、及び/又はPDUセッション確立手続きで交換した識別情報と、同じ識別情報をトラッキングエリア更新要求メッセージに含めて送信してもよいし、異なる識別情報をトラッキングエリア更新要求メッセージに含めて送信してもよい。言い換えると、UE_A10は、アタッチ手続き、及び/又はPDUセッション確立手続きで確立、及び/又は使用が決定された種類のPDUセッションと、同じ種類のPDUセッションを示す識別情報をトラッキングエリア更新手続きに含めて送信してもよいし、異なる種類のPDUセッションを示す識別情報をトラッキングエリア更新手続きに含めて送信してもよい。
【０３０８】
さらに、UE_A10は、第21の識別情報を送信することで、現在のTAが以前に接続したTAと、同じことを示してもよいし、異なるTAであることを示してもよい。なお、UE_A10は、第1から第7の識別情報を第21の識別情報と対応付け送信してもよい。
【０３０９】
さらに、UE_A10は、第22の識別情報を送信することで、アクティブ化されているPDUセッションがあることを示してもよいし、サスペンドされているPDUセッションがあることを示してもよい。さらに、UE_A10は、以前に接続していたTAを示す第21の識別情報、及び/又はサスペンドされているPDUセッションがあることを示す第22の識別情報を送信することで、サスペンドされているPDUセッションのレジュームを要求してもよい。
【０３１０】
なお、UE_A10は、第1から4の識別情報及び第21から22の識別情報のうち、どの識別情報をトラッキングエリア更新要求メッセージに入れるかを、UE_A10の能力情報、及び/又はUEポリシー等のポリシー、及び/又はUE_A10のプリファレンスに基づいて決定してもよい。なお、どの識別情報をトラッキングエリア更新要求メッセージに入れるかのUE_A10による決定はこれに限らない。
【０３１１】
CPF_A140は、トラッキングエリア更新要求メッセージを受信し、第1の条件判別を実行する。第1の条件判別において、CPF_A140は第1の条件が真であるか偽であるかを判定する。CPF_A140は、第1の条件が真の場合は本手続き中の(A)の手続きを開始し、第1の条件が偽の場合は本手続き中の(B)の手続きを開始する。なお、第1の条件が偽の場合のステップは後述する。
【０３１２】
以下、第1の条件が真の場合のステップ、すなわち本手続き中の(A)の手続きの各ステップを説明する。CPF_A140は、第4の条件判別を実行し、本手続き中の(A)の手続きを開始する。第4の条件判別において、CPF_A140は第4の条件が真であるか偽であるかを判定する。CPF_A140は、本手続き中の(C)の手続きを、第4の条件が真の場合には開始し、第4の条件が偽の場合には省略する(S1703)。
【０３１３】
ここで、第1の条件判別はアタッチ手続き中の第1の条件判別と同じでよい。また、第4の条件判別は、PDUセッションの変更及び/又は追加及び/又は削除手続きの要否を判断する為のものである。さらに、本手続き中の(C)の手続きは、ネットワーク内の装置間で、メッセージを送受信する手続きであってよく、コンテキストを更新、及び/又は共有するための手続きであってもよい。従って手続きの詳細は省略する。
【０３１４】
ここで、CPF_A140は、本手続き中の(C)の手続き中のメッセージに、少なくとも第1から4の識別情報及び第21の識別情報のうち1つ以上の識別情報を含めてもよいし、これらの識別情報を含める事で、UE_A10の要求を、各装置に伝達してもよい。
【０３１５】
ここで、CPF_A140は、本手続き中の(C)の手続き中のメッセージに、少なくとも第11から14の識別情報及び第31から36の識別情報のうち1つ以上の識別情報、及び/又は第18の識別情報を含めてもよいし、これらの識別情報を含める事で、ネットワークのUE_A10の要求に対する決定を、各装置に伝達してもよい。
【０３１６】
さらにCPF_A140は、(C)の手続き完了後に、第3の条件判別を実行する。ここで、第3の条件判別とは、CPF_A140がUE_A10の要求を受諾するかを判断する為のものであり、第3の条件判断は、(C)の手続き中に、いずれかの装置から受信した情報に基づいて決定してもよい。第3の条件判別において、CPF_A140は第3の条件が真であるか偽であるかを判定する。
【０３１７】
CPF_A140は、本手続き中の(C)の手続きを、第3の条件が真の場合にはNR node_A122を介してUE_A10にトラッキングエリア更新受諾(Tracking Area Update accept)メッセージを送信し(S1706)、第3の条件が偽の場合には本手続き中の(B)の手続きを開始する。トラッキングエリア更新受諾メッセージには、適切な受諾理由が含まれてもよい。なお、トラッキングエリア更新受諾メッセージは、トラッキングエリア更新要求メッセージに対する応答メッセージであればよく、これに限らず、トラッキングエリア更新の要求を受諾するメッセージであればよい。
【０３１８】
なお、CPF_A140は、トラッキングエリア更新受諾メッセージをS1APメッセージ(例えばUE Context Modification Requestや、Downlink NAS Transport)に含めてNR node_A122へ送信してもよい。さらに、トラッキングエリア更新受諾メッセージはNASメッセージであってよい。また、トラッキングエリア更新受諾メッセージは、トラッキングエリア更新要求メッセージに対する応答メッセージであってよい。さらに、NR node_A122はUE_A10に受信したトラッキングエリア更新受諾メッセージをRRCメッセージに含めて送信してもよい。
【０３１９】
ここで、CPF_A140は、トラッキングエリア更新受諾メッセージに、少なくとも第11から14の識別情報及び第31から36の識別情報のうち1つ以上の識別情報を含めてもよいし、これらの識別情報を含める事で、UE_A10の要求が受諾された事を示してしてもよいし、PDUセッションの本手続き完了後の状態を示してもよい。
【０３２０】
さらに、CPF_A140は、第11から第14の識別情報を送信する事で、ネットワークがサポートするPDUセッションの種類を示してよい。より詳細には、CPF_A140は、第11の識別情報、及び/又は第1のタイプのPDUセッションを示す第14の識別情報を送信する事で、ネットワークによって、許可されている、及び/又はサポートされているPDUセッションの種類が、第1のタイプのPDUセッションであることを示してもよい。
【０３２１】
さらに、CPF_A140は、第12の識別情報、及び/又は第2のタイプのPDUセッションを示す第14の識別情報を送信する事で、ネットワークによって、許可されている、及び/又はサポートされているPDUセッションの種類が、第2のタイプのPDUセッションであることを示してもよい。
【０３２２】
さらに、CPF_A140は、第13の識別情報、及び/又は第3のタイプのPDUセッションを示す第14の識別情報を送信する事で、ネットワークによって、許可されている、及び/又はサポートされているPDUセッションの種類が、第3のタイプのPDUセッションであることを示してもよい。
【０３２３】
さらに、CPF_A140は、第31の識別情報を送信する事で、ネットワークがUE_A10に接続を許可した一又は複数のTAを示してもよいし、本手続き完了後に新たなトラッキングエリア更新手続きを実行することなく、UE_A10が移動することができるエリアを示してもよい。
【０３２４】
さらに、CPF_A140は、第11から14の識別情報と第31の識別情報を対応付けて送信してもよいし、これらの対応づけられた識別情報を送信することで、第11から14の識別情報で示される種類のPDUセッションの確立が、第31の識別情報で示されたTA内で、許可されていること、及び/又はサポートされていることを示してもよい。
【０３２５】
さらに、CPF_A140は、第33から36の識別情報を送信する事で、本手続き完了後のPDUセッションの状態を示してもよい。より詳細には、第33の識別情報を送信することで、切断されるPDUセッション、及び/又はEPSベアラがあることを示してもよいし、切断されるPDUセッション、及び/又はEPSベアラを識別してもよい。さらに、第34の識別情報を送信することで、サスペンドされるPDUセッション、及び/又はEPSベアラがあることを示してもよいし、サスペンドされるPDUセッション、及び/又はEPSベアラを識別してもよい。
【０３２６】
さらに、第35の識別情報を送信することで、レジュームされるPDUセッション、及び/又はEPSベアラがあることを示してもよいし、レジュームされるPDUセッション、及び/又はEPSベアラを識別してもよい。さらに、第36の識別情報を送信することで、セッション継続されるPDUセッション、及び/又はEPSベアラがあることを示してもよいし、セッション継続されるPDUセッション、及び/又はEPSベアラを識別情報してもよい。
【０３２７】
さらに、CPF_A140は、第11から14の識別情報で示される種類のPDUセッションが、第2のタイプのPDUセッションである場合、CPF_A140は、さらに、第32の識別情報を送信してもよいし、第32の識別情報を送信することで、PDUセッションがサスペンドした際に、PDUセッションのサスペンドが有効である時間を示してもよい。さらに、CPF_A140は、サスペンドされるPDUセッション、及び/又はEPSベアラがある場合、CPF_A140は、さらに、第32の識別情報を送信してもよいし、第32の識別情報を送信することで、PDUセッション、及び/又はEPSベアラのサスペンドが有効である時間を示してもよい。
【０３２８】
なお、CPF_A140は、第11から14の識別情報及び第31から36の識別情報のうち、どの識別情報をトラッキングエリア更新受諾メッセージに入れるかを、受信した識別情報、及び/又は、ネットワークの能力情報、及び/又はオペレータポリシー等のポリシー、及び/又はネットワークの状態に基づいて決定してもよい。なお、どの識別情報をトラッキングエリア更新受諾メッセージに入れるかのCPF_A140による決定はこれに限らない。
【０３２９】
トラッキングエリア更新受諾メッセージを受信した場合、UE_A10はNR node_A122を介してCPF_A140にトラッキングエリア更新完了(Tracking Area Update complete)メッセージを送信してもよい(S1710)。ここで、トラッキングエリア更新完了メッセージはNASメッセージであってよい。また、トラッキングエリア更新完了メッセージは、トラッキングエリア更新応答メッセージに対する応答メッセージであってよい。各装置は、トラッキングエリア更新完了メッセージの送受信、及び/又はトラッキングエリア更新受諾メッセージの送受信に基づき、本手続き中の(A)の手続きを完了する。
【０３３０】
次に、本手続き中の(B)の手続きの各ステップを説明する。CPF_A140は、NR node_A122を介してUE_A10にトラッキングエリア更新拒絶(Tracking Area Update reject)メッセージを送信し(S1720)、本手続き中の(B)の手続きを開始する。さらに、UE_A10はトラッキングエリア更新拒絶メッセージを受信し、UE_A10の要求が拒絶された事を認識する。各装置は、トラッキングエリア更新拒絶メッセージの送受信に基づき、本手続き中の(B)の手続きを完了する。トラッキングエリア更新拒絶メッセージには、適切な拒絶理由が含まれてもよい。なお、トラッキングエリア更新拒絶メッセージは、NASメッセージであってよい。また、トラッキングエリア更新拒絶メッセージは、トラッキングエリア更新要求メッセージに対する応答メッセージであればよく、これに限らず、トラッキングエリア更新の要求を拒絶するメッセージであればよい。
【０３３１】
ここで、CPF_A140は、トラッキングエリア更新拒絶メッセージに、第18の識別情報を含めてもよいし、これらの識別情報を含める事で、UE_A10の要求が拒絶された事を示してしてもよい。
【０３３２】
さらに、CPF_A140は、第18の識別情報を送受信する事で、トラッキングエリア更新手続きが拒絶された理由を認識してもよいし、トラッキングエリア更新手続き後に、各装置が実施すべき処理を示してもよいし、別の条件で再度本手続きを実施してもよいし、本手続き以外の手続きを実施してもよい。
【０３３３】
各装置は、本手続き中の(A)又は(B)の手続きの完了に基づいて、本手続きを完了する。
【０３３４】
さらに、各装置は、本手続きの完了に基づいて、本手続きで送受信した識別情報に基づいた処理を実施してもよい。例えば、UE_A10は、第11から14の識別情報及び第31から36の識別情報のうち1つ以上の識別情報を受信した場合、第11から第14の各識別情報で示される種類のPDUセッションが、第31の識別情報で示されるTAで、許可されていること、及び/又はサポートされていることを認識してもよい。
【０３３５】
また、UE_A10は、第33から第36の識別情報を受信した場合、PDUセッション、及び/又はEPSベアラの一部又は全部の状態が更新されたことを認識してもよいし、PDUセッション、及び/又はEPSベアラの一部又は全部の状態の更新が必要なことを認識してもよい。
【０３３６】
具体的には、UE_A10は、第33の識別情報を受信した場合、PDUセッション、及び/又はEPSベアラの一部又は全部が切断されたことを認識してもよいし、切断されたPDUセッション、及び/又はEPSベアラに関するコンテキストを無効化、及び/又は解放してもよい。さらに、UE_A10は、第34の識別情報を受信した場合、PDUセッション、及び/又はEPSベアラの一部又は全部が、切断されずにサスペンドされたことを認識してもよい。さらに、UE_A10は、第35の識別情報を受信した場合、PDUセッション、及び/又はEPSベアラの一部又は全部が、サスペンドされた状態から復帰したことを認識してもよい。さらに、UE_A10は、第36の識別情報を受信した場合、PDUセッション、及び/又はEPSベアラの一部又は全部が、切断されずにセッション継続されたことを認識してもよい。また、UE_A10は、サスペンドされたPDUセッション、及び/又はEPSベアラがある場合、第1のタイマーの実行を開始してもよいし、第32の識別情報で示される値を第1のタイマーの値として設定してよい。
【０３３７】
また、各装置は、第35の識別情報を送受信した場合、第1の状態から第2の状態に遷移してもよい。さらに、各装置は、第36の識別情報を送受信した場合、第2の状態から第1の状態に遷移してもよい。なお、各装置が第1の状態又は第2の状態に遷移する条件はこれに限らない。
【０３３８】
また、前述した第1、及び/又は第3、及び/又第4の条件判別は、トラッキングエリア更新要求メッセージに含まれる識別情報、及び/又は加入者情報、及び/又はオペレータポリシーに基づいて実行されてもよい。また、第1、及び/又は第3、及び/又第4の条件の真偽が決まる条件は前述した条件に限らなくてもよい。
【０３３９】
例えば、第1の条件、及び/又は第3の条件、及び/又は第4の条件は、UE_A10がトラッキングエリア更新を要求し、ネットワークが要求を許可する場合、真でよい。また、第1の条件、及び/又は第3の条件、及び/又は第4の条件は、UE_A10がトラッキングエリア更新を要求し、ネットワークが要求を許可しない場合、偽でよい。さらに、第1の条件、及び/又は第2の条件、及び/又は第3の条件は、UE_A10の接続先のネットワーク、及び/又はネットワーク内の装置が、UE_A10が要求するトラッキングエリア更新をサポートしていない場合、偽でもよい。
【０３４０】
[2.変形例]
本発明に関わる装置で動作するプログラムは、本発明に関わる実施形態の機能を実現するように、Central Processing Unit(CPU)等を制御してコンピュータを機能させるプログラムであっても良い。プログラムあるいはプログラムによって取り扱われる情報は、一時的にRandom Access Memory(RAM)等の揮発性メモリあるいはフラッシュメモリ等の不揮発性メモリやHard Disk Drive(HDD)、あるいはその他の記憶装置システムに格納される。
【０３４１】
尚、本発明に関わる実施形態の機能を実現する為のプログラムをコンピュータが読み取り可能な記録媒体に記録しても良い。この記録媒体に記録されたプログラムをコンピュータシステムに読み込ませ、実行する事によって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０３４２】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ(DSP)、特定用途向け集積回路(ASIC)、フィールドプログラマブルゲートアレイ(FPGA)、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサでもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いる事も可能である。
【０３４３】
なお、本願発明は上述の実施形態に限定されるものではない。実施形態では、装置の1例を記載したが、本願発明は、これに限定されるものではなく、屋内外に設置される据え置き型、または非可動型の電子機器、たとえば、AV機器、キッチン機器、掃除・洗濯機器、空調機器、オフィス機器、自動販売機、その他生活機器等の端末装置もしくは通信装置に適用出来る。
【０３４４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３４５】
1 移動通信システム
5 PDN_A
10 UE_A
30 PGW_A
35 SGW_A
40 MME_A
42 SGSN_A
45 eNB_A
46 SCEF_A
50 HSS_A
60 PCRF_A
80 E-UTRAN_A
120 NextGen RAN_A
122 NR node_A
123 NR node_B
125 WLAN ANc
126 WAG_A
130 UPGW_A
140 CPF_A
190 コアネットワーク_B
【図１】
2020036055.tif 000003
【図２】
2020036055.tif 000004
【図３】
2020036055.tif 000005
【図４】
2020036055.tif 000006
【図５】
2020036055.tif 000007
【図６】
2020036055.tif 000008
【図７】
2020036055.tif 000009
【図８】
2020036055.tif 000010
【図９】
2020036055.tif 000011
【図１０】
2020036055.tif 000012
【図１１】
2020036055.tif 000013
【図１２】
2020036055.tif 000014
【図１３】
2020036055.tif 000015
【図１４】
2020036055.tif 000016
【図１５】
2020036055.tif 000017
【図１６】
2020036055.tif 000018
【図１７】
2020036055.tif 000019
【図１８】
2020036055.tif 000020